(57)【要約】      （修正有）【課題】廃棄しやすく、美麗で安価、取り出しや携帯容易な使い捨てコンタクトレンズパッケージの提供。【解決手段】コンタクトレンズ収納空間の深さが、常態のコンタクトレンズの周縁部に対する湾曲外表面の高さ（コンタクトレンズの厚さ）より浅いパッケージ１８である。２枚のシート１４、１５の一方にレンズ付着防止のいためのエンボス加工１６がされている。一部の実施例では、パッケージが開けられた際、使用者にコンタクトレンズを提供する助けとなるスプリングディスクが備えられている。コンタクトレンズパッケージは、カードや他の収容シートに付着され又は留め付けられ得、多くの異なる二次包装に収容され得る。【選択図】図６
2005231740.tif 000002
【特許請求の範囲】
【請求項１】
パッケージのコンタクトレンズ収納空間の深さが、コンタクトレンズが平衡状態にある時
のコンタクトレンズの周縁部に対する湾曲外表面の高さより浅いことを特徴とするその内
部にコンタクトレンズを有する使い捨てパッケージ。
【請求項２】
互いに密封係合される２枚のシートから成ることを特徴とする請求項１に記載のパッケー
ジ。
【請求項３】
上記シートが当該パッケージの外周全周にわたって密封されていることを特徴とする請求
項２に記載のパッケージ。
【請求項４】
上記シートがコンタクトレンズの周囲で密封係合されていることを特徴とする請求項２に
記載のパッケージ。
【請求項５】
コンタクトレンズ周囲の密封に加え当該パッケージ外周に密封が施され、コンタクトレン
ズ周囲の密封がパッケージ外周の密封より強いことを特徴とする請求項２に記載のパッケ
ージ。
【請求項６】
当該パッケージの少なくとも１箇所の角でシートが密封されていないことを特徴とする請
求項２に記載のパッケージ。
【請求項７】
上記の密封されていない角が開封を容易にする角であることを特徴とする請求項６に記載
のパッケージ。
【請求項８】
上記シートが多重層のラミネートであることを特徴とする請求項２に記載のパッケージ。
【請求項９】
上記シートがポリオレフィンを含むことを特徴とする請求項２に記載のパッケージ。
【請求項１０】
一方のシートが多重層のラミネートであり、他方のシートがポリオレフィンであることを
特徴とする請求項２に記載のパッケージ。
【請求項１１】
上記の多重層のラミネートがポリエチレンテレフタレート、ポリプロピレン、アルミニウ
ムを含む中から選定される１つ以上の材料から成ることを特徴とする請求項１０に記載の
パッケージ。
【請求項１２】
水和媒体を収容する第１の空間を有することを特徴とする請求項１に記載のパッケージ。
【請求項１３】
上記のシート２枚がそれぞれ平坦であることを特徴とする請求項２に記載のパッケージ。
【請求項１４】
水和媒体を収容する第２の空間を有することを特徴とする請求項１２に記載のパッケージ
。
【請求項１５】
上記第１空間内のレンズと第２空間内の水和媒体が２枚のシート材料の間の継ぎ目により
分離されていることを特徴とする請求項１４に記載のパッケージ。
【請求項１６】
水和媒体を収容した第２空間が、レンズの取り出される前、後、最中から選定された時に
開封され得ることを特徴とする請求項１４に記載のパッケージ。
【請求項１７】
第２空間の形状が、平坦、膨らみのある形から選定されることを特徴とする請求項１４に
記載のパッケージ。
【請求項１８】
水和媒体用の上記第２空間が上記第１空間に連結されていることを特徴とする請求項１４
に記載のパッケージ。
【請求項１９】
水和媒体用の上記第２空間が上記第１空間から折り取られ得ることを特徴とする請求項１
４に記載のパッケージ。
【請求項２０】
連結部に可撓性のあることを特徴とする請求項１８に記載のパッケージ。
【請求項２１】
水和媒体用の上記第２空間がキャップを有することを特徴とする請求項１４に記載のパッ
ケージ。
【請求項２２】
上記キャップを１回以上捩り、折り、ちぎることでキャップが取り外され得ることを特徴
とする請求項２１に記載のパッケージ。
【請求項２３】
レンズを取り出すのに上記シートが引き離されることを特徴とする請求項２に記載のパッ
ケージ。
【請求項２４】
上記のシート２枚がサポート部材により分離されていることを特徴とする請求項２に記載
のパッケージ。
【請求項２５】
上記サポート部材が剛性のものと可撓性のものから選定されることを特徴とする請求項２
４に記載のパッケージ。
【請求項２６】
上記サポート部材がレンズを囲んでいることを特徴とする請求項２５に記載のパッケージ
。
【請求項２７】
上記サポート部材が網を有することを特徴とする請求項２６に記載のパッケージ。
【請求項２８】
上記網がレンズを支持することを特徴とする請求項２７に記載のパッケージ。
【請求項２９】
上記網がポリオレフィンで形成されることを特徴とする請求項２８に記載のパッケージ。
【請求項３０】
上記連結部に穴が開けられていることを特徴とする請求項１８に記載のパッケージ。
【請求項３１】
上記のシートのうち少なくとも１枚が透明であることを特徴とする請求項２に記載のパッ
ケージ。
【請求項３２】
上記のシートのうち少なくとも１枚のシートの少なくとも１つの面が着色されていること
を特徴とする請求項２に記載のパッケージ。
【請求項３３】
パッケージが開封された際にコンタクトレンズを容易に見ることが出来るように、パッケ
ージ密封時に上記の着色がコンタクトレンズに向け内向きに示されていることを特徴とす
る請求項３２に記載のパッケージ。
【請求項３４】
上記着色が白色、明るい青色、明るい緑色から選定されることを特徴とする請求項３３に
記載のパッケージ。
【請求項３５】
少なくとも１枚のシートに印が表示されており、その印がパッケージ密封時にコンタクト
レンズに向け内向きに示されていることで、パッケージが開封された際にその印を容易に
見ることが出来ることを特徴とした請求項２に記載のパッケージ。
【請求項３６】
上記印が文字、線図、図形の中から選定されることを特徴とする請求項３５に記載のパッ
ケージ。
【請求項３７】
水和媒体用の上記第２空間がパッケージの取っ手の役割をすることを特徴とする請求項１
９に記載のパッケージ。
【請求項３８】
上記シートの少なくとも１枚のシートにエンボス加工がなされていることを特徴とする請
求項２に記載のパッケージ。
【請求項３９】
上記シートの少なくとも１枚のシートに抽象的図柄、格子柄、ロゴから選定された１つ以
上の柄がエンボス加工がなされていることを特徴とする請求項３８に記載のパッケージ。
【請求項４０】
コンタクトレンズの周縁部に対する湾曲外表面の高さが約３．８ｍｍから約５．０ｍｍで
あり、パッケージのコンタクトレンズ収納空間の深さが約３．０ｍｍ未満であることを特
徴とする請求項１に記載のパッケージ。
【請求項４１】
パッケージが、正方形、円形、楕円形、涙形、８の字形、長方形、そしてそれらの非対称
の変形、対称の変形、角を丸めた変形、及びそれらを組合せた形の中から選定された形状
とされることを特徴とする請求項１に記載のパッケージ。
【請求項４２】
コンタクトレンズがパッケージ内にあるとき常に同じ向きで保持されるよう収容されるこ
とを特徴とする請求項１に記載のパケージ。
【請求項４３】
コンタクトレンズが平らな状態とされることを特徴とする請求項４２に記載のパッケージ
。
【請求項４４】
上記のシート２枚のうち少なくとも１枚に湾曲が形成されていることを特徴とする請求項
２に記載のパッケージ。
【請求項４５】
上記２枚のシートのうち１枚に凸状の湾曲が形成されていることを特徴とする請求項４４
に記載のパッケージ。
【請求項４６】
上記凸状の湾曲がコンタクトレンズの裏面に合わせられていることを特徴とする請求項４
５に記載のパッケージ。
【請求項４７】
上記２枚のシートのうち１枚に凸状の湾曲が形成されており、上記シートのうちもう１枚
に凹状の湾曲が形成されていることを特徴とする請求項４４に記載のパッケージ。
【請求項４８】
パッケージが開封された時、常にコンタクトレンズが即座に装着できる向きであるように
パッケージ内部の構成がなされていることを特徴とする請求項１に記載のパッケージ。
【請求項４９】
コンタクトレンズがパッケージから撮み出され眼に装着され得ることを特徴とする請求項
４８に記載のパッケージ。
【請求項５０】
当該パッケージを開封するのにカバーが基部から取り外されることを特徴とする請求項１
に記載のパッケージ。
【請求項５１】
上記カバーがアルミニウムホイル、ポリプロピレン、及びこれらを結合させたものを含む
中から選定されることを特徴とする請求項５０に記載のパッケージ。
【請求項５２】
上記カバーを取り外すのに、当該パッケージからカバーを剥がす、切り取る、引き離すの
中から選定された方法で行われ得ることを特徴とする請求項５０に記載のパッケージ。
【請求項５３】
上記カバーが当該パッケージの基部から引き上げられることで取り外し得ることを特徴と
する請求項５２に記載のパッケージ。
【請求項５４】
さらに開封用端部を有する請求項５０に記載のパッケージ。
【請求項５５】
上記開封用端部がカバーに連結されていることを特徴とする請求項５４に記載のパッケー
ジ。
【請求項５６】
上記開封用端部が上記基部から折り取られ得ることを特徴とする請求項５５に記載のパッ
ケージ。
【請求項５７】
上記開封用端部が上記基部から折り取られた時、上記カバーが上記基部から取り外され得
ることを特徴とする請求項５６に記載のパッケージ。
【請求項５８】
上記基部が、平らとされたもの、成型されたものの中から選定されることを特徴とする請
求項５０に記載のパッケージ。
【請求項５９】
上記カバーが取っ手を有することを特徴とする請求項５０に記載のパッケージ。
【請求項６０】
パッケージがさらにスプリングディスクを有することを特徴とする請求項１に記載のパッケージ
。
【請求項６１】
上記スプリングディスクが平衡状態であるときにアーチ形であることを特徴とする請求項６０に
記載のパッケージ。
【請求項６２】
パッケージが密封されている間、上記スプリングディスクがパッケージ内で平らに保持されるこ
とを特徴とする請求項６０に記載のパッケージ。
【請求項６３】
パッケージが開封されると上記スプリングディスクが平衡状態のアーチ形に戻ることを特徴とす
る請求項６２に記載のパッケージ。
【請求項６４】
上記スプリングディスクが、ポリオレフィン、シリコーン、及びこれらを結合させたものの中か
ら選定された1つ以上の材料から成ることを特徴とする請求項６０に記載のパッケージ。
【請求項６５】
上記スプリングディスクが円形とされる基部から伸張する突出部を有することを特徴とする請求
項６０に記載のパッケージ。
【請求項６６】
パッケージ内部でコンタクトレンズが上記スプリングディスクに載っていることを特徴とする請
求項６０に記載のパッケージ。
【請求項６７】
さらにパッケージ内部にコンタクトレンズが載る隆起部を有している請求項１に記載のパ
ッケージ。
【請求項６８】
上記隆起部が可撓性のない山形の隆起であることを特徴とする請求項６７に記載のパッケ
ージ。
【請求項６９】
コンタクトレンズが上記隆起部とカバーシートの間で固定的に保持されることを特徴とす
る請求項６８に記載のパッケージ。
【請求項７０】
さらにパッケージの少なくとも１つの面に滑らかでない質感の外面を有する請求項１に記
載のパッケージ。
【請求項７１】
上記滑らかでない質感の外面がパッケージの両面に施されていることを特徴とする請求項
７０に記載のパッケージ。
【請求項７２】
上記滑らかでない質感の外面が取っ手に施されていることを特徴とする請求項７０に記載
のパッケージ。
【請求項７３】
上記滑らかでない質感の外面が、複数のこぶ状部分が形成されて滑らかでない外面、複数
の畝状部分が形成されて滑らかでない外面の中から選定されることを特徴とする請求項７
０に記載のパッケージ。
【請求項７４】
ポリプロピレンから成る請求項１に記載のパッケージ。
【請求項７５】
ポリプロピレンとホイルとから成る請求項１に記載のパッケージ。
【請求項７６】
パッケージが小袋タイプパッケージ、ブリスターパッケージの中から選定されることを特
徴とする請求項１に記載のパッケージ。
【請求項７７】
パッケージ総体の厚みが１．０ｍｍから３．０ｍｍであることを特徴とする請求項１に記
載のパッケージ。
【請求項７８】
パッケージが破断用切り欠きを有することを特徴とする請求項１に記載のパッケージ。
【請求項７９】
破断用つまみを有することを特徴とする請求項１に記載のパッケージ。
【請求項８０】
先細の端部を有することを特徴とする請求項５０に記載のパッケージ。
【請求項８１】
上記先細の端部を使いカバーが取り外されることを特徴とする請求項８０に記載のパッケ
ージ。
【請求項８２】
コンタクトレンズを取り出すのに基部の端部が屈曲され得ることを特徴とする請求項８１
に記載のパッケージ。
【請求項８３】
モールドされた基部とカバーとその中のコンタクトレンズとを有するブリスターパッケー
ジであって、当該ブリスターパッケージのコンタクトレンズ収納空間の深さが、コンタク
トレンズのその周縁部に対する湾曲外表面の高さより浅いことを特徴とするブリスターパ
ッケージ。
【請求項８４】
１つ以上のコンタクトレンズパッケージが取り付けられているコンタクトレンズホルダー
シート。
【請求項８５】
上記ホルダーシートの大きさが名刺大であることを特徴とする請求項８４に記載のホルダ
ーシート。
【請求項８６】
２つのコンタクトレンズパッケージが取り付けられていることを特徴とする請求項８４に
記載のホルダーシート。
【請求項８７】
２つのコンタクトレンズパッケージが２つの異なる処方のコンタクトレンズを有すること
を特徴とする請求項８６に記載のホルダーシート。
【請求項８８】
２つのコンタクトレンズパッケージが同一の処方のコンタクトレンズを有することを特徴
とする請求項８６に記載のホルダーシート。
【請求項８９】
接着剤、留め具、差込用溝の中から選定された１つ以上の形式でパッケージがホルダーシ
ートに取り付けられることを特徴とする請求項８５に記載のホルダーシート。
【請求項９０】
２つ以上のパッケージがホルダーシートに取り付けられていることを特徴とする請求項８
４に記載のホルダーシート。
【請求項９１】
６つ以上のパッケージがホルダーシートに取り付けられていることを特徴とする請求項８
４に記載のホルダーシート。
【請求項９２】
下記ａ）、ｂ）、ｃ）の手順を有するコンタクトレンズパッケージからコンタクトレンズ
を取り出す方法。
ａ）スプリングディスクとコンタクトレンズを有するパッケージを指の上に載せる
ｂ）コンタクトレンズが指先に載るように指で上記スプリングディスクの中央を押し開く
ｃ）指に載っているコンタクトレンズを眼に置く
【請求項９３】
請求項１に記載のパッケージと追加の少なくとも１つのパッケージとの組合せであって、
各パッケージが同一で互いに連結されていることを特徴とするパッケージの組合せ。
【請求項９４】
パッケージの連結部分が破断しやすくなっていることを特徴とする請求項９３に記載の組合せ。
【請求項９５】
上記組合せが３つから６つのパッケージを有することを特徴とする請求項９３に記載の組
合せ。
【請求項９６】
上記組合せが２つから９０のパッケージを有することを特徴とする請求項９３に記載の組
合せ。
【請求項９７】
連結されたパッケージがストリップを成すことを特徴とする請求項９３に記載の組合せ。
【請求項９８】
上記のストリップが巻かれていることを特徴とする請求項９７に記載の組合せ。
【請求項９９】
パッケージがコンタクトレンズ用の第１空間と水和媒体用の第２空間を有することを特徴
とする請求項９７に記載の組合せ。
【請求項１００】
上記のストリップがジグザグ形に折畳まれることを特徴とする請求項９７に記載の組合せ
。
【請求項１０１】
使い捨てコンタクトレンズパッケージとその使い捨てコンタクトレンズパッケージが取り
外し可能に取り付けられているカードとの組合せ。
【請求項１０２】
使い捨てコンタクトレンズパッケージが単一の処方のコンタクトレンズを有することを特
徴とする請求項１０１に記載の組合せ。
【請求項１０３】
複数の使い捨てコンタクトレンズパッケージが取り外し可能に取り付けられていることを
特徴とする請求項１０１に記載の組合せ。
【請求項１０４】
パッケージがコンタクトレンズを保持する内部空間を画定する少なくとも１枚のバリア材
と、コンタクトレンズを含水状態に維持するための該内部空間内の媒体と、レンズを該内
部空間から取り外す手段とを有し、上記少なくとも１枚のバリア層は均質の柔軟な素材か
ら形成されることを特徴とするコンタクトレンズを保持する使い捨てパッケージ。
【請求項１０５】
コンタクトレンズを内部に保持可能な使い捨てパッケージであって、
ａ）２枚のシート材料と
ｂ）上記２枚のシート材料の間のサポート部材と
を有し、
上記２枚のシート材料が密封係合されており、コンタクトレンズが当該パッケージ内に、
常に同じ向きに保持されるようにして収納されていることを特徴とする使い捨てパッケー
ジ。
【請求項１０６】
上記サポート部材に可撓性のあることを特徴とする請求項１０５に記載のパッケージ。
【請求項１０７】
上記サポート部材が剛性を有することを特徴とする請求項１０５に記載のパッケージ。
【請求項１０８】
上記サポート部材がコンタクトレンズを囲んでいることを特徴とする請求項１０５に記載
のパッケージ。
【請求項１０９】
上記サポート部材が網を有することを特徴とする請求項１０５に記載のパッケージ。
【請求項１１０】
上記の網がコンタクトレンズを保持することを特徴とする請求項１０９に記載のパッケー
ジ。
【請求項１１１】
上記の網がポリオレフィン、シリコーン、及びこれらの結合物の中から選定された材料か
ら形成されることを特徴とする請求項１１０に記載のパッケージ。
【請求項１１２】
それぞれの中にコンタクトレンズを有する使い捨てパッケージを少なくとも９０個収納す
るカートンであり、各パッケージのコンタクトレンズ収納空間の深さが、それらパッケー
ジ内の各コンタクトレンズのその周縁部に対する湾曲外表面の高さより浅いことを特徴と
するカートン。
【請求項１１３】
該パッケージを約１８０個収容するカートンであることを特徴とする請求項１１２に記載
のカートン。
【請求項１１４】
コンタクトレンズを収納する使い捨てパッケージであり、パッケージが開封された時、常
にコンタクトレンズが、パッケージに配置された時と同じ配置であるようにパッケージが
形状付けられていることを特徴とする使い捨てパッケージ。
【請求項１１５】
パッケージを開封するのに取り外され得るカバーにコンタクトレンズがその凹面を向けて
配置されることを特徴とする請求項１１４に記載のパッケージ。
【請求項１１６】
パッケージを開封するのに取り外され得るカバーにコンタクトレンズがその凸面を向けて
配置されることを特徴とする請求項１１４に記載のパッケージ。
【請求項１１７】
パッケージが開封された時、眼に装着するためコンタクトレンズが２本の指の間で把持さ
れるように配置されることを特徴とする請求項１１４に記載のパッケージ。
【請求項１１８】
コンタクトレンズがパッケージから摘んで取り出され眼に装着され得るように配置されて
いることを特徴とする請求項１１６に記載のパッケージ。
【請求項１１９】
パッケージがその中のコンタクトレンズ周縁部に対する湾曲外表面の高さより浅いコンタ
クトレンズ収納空間の深さを有することを特徴とする請求項１１４に記載のパッケージ。
【請求項１２０】
パッケージ内のコンタクトレンズを収容する空間が制限されておりコンタクトレンズがそ
の空間内で位置を変えないようにされていることを特徴とする請求項１１９に記載のパッ
ケージ。
【請求項１２１】
複数のコンタクトレンズを収容するコンタクトレンズパッケージ容器であり、１個のコン
タクトレンズパッケージが取り出されると、次のコンタクトレンズパッケージが取り出さ
れるべく取出しの位置に自動的に移動することを特徴とするコンタクトレンズパッケージ
容器。
【請求項１２２】
上記パッケージがそれぞれ独立したパッケージであり、１個毎取り出されるようにされて
いることを特徴とする請求項１２１に記載の容器。
【請求項１２３】
上記パッケージが、破断の容易な接合部分で相互にに結合されていることを特徴とする請求
項１２１に記載の容器。
【請求項１２４】
コンタクトレンズを収納する使い捨てパッケージであり、パッケージのコンタクトレンズ
収納空間の深さが、平衡状態にあるコンタクトレンズのその周縁部に対する湾曲外表面の
高さより浅くされており、
ａ）少なくとも１枚のシートに印刷が施され、互いに密封係合された２枚のシート材料と
、
ｂ）開封を容易にする角を供するための少なくとも１つの密封されていない角と
を有し、
上記コンタクトレンズが、パッケージの密封時に部分的に平らな状態であり、パッケージ
開封時に常態に戻るようにされており、
上記印刷が、使用方法、処方情報の中から選定されたものの印刷とされ、
上記シート材料の少なくとも１枚にエンボス加工がなされコンタクトレンズがシートに付
着されるのを防ぎ、それによってパッケージが開封された時に、コンタクトレンズが所期
の向きで提供されるようにしたことを特徴とする使い捨てパッケージ。
【請求項１２５】
コンタクトレンズを収納する使い捨てパッケージであり、
ａ）互いをに密封係合する２枚のシート材料と、
ｂ）シートの間のスプリングディスクと、
ｃ）水和媒体と
を有し、
パッケージが密封されている間コンタクトレンズが平らな状態で保持されることを特徴と
する使い捨てパッケージ。
【請求項１２６】
さらにコンタクトレンズ用の第１空間と、少なくとも水和媒体の一部を収容する第２空間
を有する請求項１２５に記載のパッケージ。
【請求項１２７】
スプリングディスクが可撓性を有することを特徴とする請求項１２５に記載のパッケージ。
【請求項１２８】
上記スプリングディスクが圧縮可能なことを特徴とする請求項１２５に記載のパッケージ。
【請求項１２９】
上記スプリングディスクがポリプロピレンから成ることを特徴とする請求項１２５に記載のパッ
ケージ。
【請求項１３０】
上記スプリングディスクに載せられたコンタクトレンズがパッケージが開封された時に立ち上が
ることを特徴とする請求項１２８に記載のパッケージ。
【請求項１３１】
パッケージのコンタクトレンズ収納空間の深さが、その中のコンタクトレンズの常態の周
縁部に対する湾曲外表面の高さより浅いことを特徴とする請求項１２５に記載のパッケー
ジ。
【請求項１３２】
ａ）複数のコンタクトレンズパッケージを収納するディスペンサーを準備し
ｂ）該ディスペンサーから少なくとも１個のコンタクトレンズパッケージを取り出す
ようにした、コンタクトレンズパッケージの集まりから、使い捨てコンタクトレンズパ
ッケージを取り出す方法。
【請求項１３３】
コンタクトレンズパッケージが上記ディスペンサーの取り出し部から現れ出ることを特徴
とする請求項１３２に記載の方法。
【請求項１３４】
上記ディスペンサーが円柱状の筒であり、左眼用のコンタクトレンズを取り出すための一
つの端部と右眼用のコンタクトレンズを取り出すためのもう一つの端部を有することを特
徴とする請求項１３２に記載の方法。
【請求項１３５】
使い捨てコンタクトレンズパッケージのコンタクトレンズ収納空間の深さが、その中で平
衡状態にあるコンタクトレンズのその周縁部に対する湾曲外表面の高さより浅い使い捨て
パッケージを開封するための方法であり、第２のバリア層から第１のバリア層を分離する
ことを特徴とする開封方法。
【請求項１３６】
上記第１のバリア層がカバーを構成し、上記第２のバリア層が基部を構成することを特徴
とする請求項１３５に記載の方法。
【請求項１３７】
上記第１のバリア層が第１のシート材料から成り、上記第２のバリア層が第２のシート材
料から成ることを特徴とする請求項１３６に記載の方法。
【請求項１３８】
ａ）コンタクトレンズを収納するパッケージの内部空間を画定する少なくとも第１と第２
の向かい合った面を形成する柔軟な包装材料からなる少なくとも１枚のバリア層と、
ｂ）上記空間内の水和媒体と、
ｃ）パッケージからコンタクトレンズの取り出しを可能にする手段と
を有し、少なくとも１枚のバリア層材料が平らで柔軟であることを特徴とする
コンタクトレンズの保持を可能とする使い捨てパッケージ。
【請求項１３９】
パッケージ材料がパッケージに加えられた荷重に対し変形可能であることを特徴とする請
求項１３８に係るパッケージ。
【請求項１４０】
水和媒体が緩衝物となりパッケージに加えられる外部の荷重によりもたらされる力を放散
することを特徴とする請求項１３８に係るパッケージ。
【請求項１４１】
上記パッケージ材料が単一層の材料から成り、その単一層の材料が折り返されてその向か
い合った縁部が熱処理加工で密封係合されることを特徴とする請求項１３８に係るパッケ
ージ。
【請求項１４２】
上記パッケージ材料が異なった材料の２枚の単一層シートから成ることを特徴とする請求
項１３８に係るパッケージ。
【請求項１４３】
上記パッケージ材料が同一材料の２枚の単一層シートから成ることを特徴とする請求項１
３８に係るパッケージ。
【請求項１４４】
パッケージが材料の多重層からなる1枚のシートを有しており、そのシートが折り返され
てその向かい合った縁部が熱処理加工で密封係合されることを特徴とする請求項１３８に
係るパッケージ。
【請求項１４５】
パッケージが同一の多重層材料の２枚のシートから成ることを特徴とする請求項１３８に
係るパッケージ。
【請求項１４６】
パッケージが異なる２枚の多重層材料のシートから成ることを特徴とする請求項１３８に
係るパッケージ。
【請求項１４７】
パッケージからコンタクトレンズの取り出しを可能にするための手段が、剥離方法、破断
方法の中から選定された方法で当該パッケージを開封できる部分上の指定領域を有するこ
とを特徴とする請求項１３８に係るパッケージ。
【請求項１４８】
上記のコンタクトレンズの取り出しを可能にする手段が、パッケージの外周沿いに１箇所
以上の部分で、上記少なくとも１枚のバリア層が軽い熱処理加工による密封をされている
ことを特徴とする請求項１４７に係るパッケージ。
【請求項１４９】
向かい合う面の向かい合う縁部が熱処理加工により密封されていることを特徴とする請求
項１４７に係るパッケージ。
【請求項１５０】
向かい合う内側面と周縁部により画定される上記空間内で、コンタクトレンズが自由に動
くことができるようにされていることを特徴とする請求項１３８に係るパッケージ。
【請求項１５１】
上記向かい合った第１の面がコンタクトレンズの表面に向かい合わされ、上記向かい合っ
た第２の面がコンタクトレンズの裏面に向かい合わされていることを特徴とする請求項１
３８に係るパッケージ。
【請求項１５２】
少なくとも１枚のバリア層が金属性の層を有する多重層材料から成ることを特徴とする請
求項１３８に係るパッケージ。
【請求項１５３】
上記の多重層材料が製品に関する表示を示すことができる外層を有することを特徴とする
請求項１５２に係るパッケージ。
【請求項１５４】
上記の多重層材料がポリオレフィン層を有することを特徴とする請求項１５３に係るパッ
ケージ。
【請求項１５５】
上記外層がアルミニウム層の外側面に係合していることを特徴とする請求項１５４に係る
パッケージ。
【請求項１５６】
上記ポリオレフィン層がアルミニウム層の内側面に係合するポリプロピレン層を有するこ
とを特徴とする請求項１５５に係るパッケージ。
【請求項１５７】
少なくとも２つの同一のパッケージからなるセットを形成するように少なくとももう１つ
の同一のパッケージと連結されている請求項１３８に係るパッケージ。
【請求項１５８】
各パッケージが破断の容易な接合部分により隣接するパッケージに連結されている事を特徴
とする請求項１５７に係るパッケージ。
【請求項１５９】
コンタクトレンズパッケージに接合されており、その中にコンタクトレンズに水分を供給
する水和媒体を有する付け加えられたパッケージを有する請求項１３８に係るパッケージ
。
【請求項１６０】
上記パッケージ材料が柔軟なものとされ、当該パッケージとコンタクトレンズに共に与え
られる、変形、平坦化、捻れ、曲げ、折曲げ、押潰し、巻回の力の中の選択された力に耐
え、コンタクトレンズの完全性を傷つけないことを特徴とする請求項１３９に係るパッケ
ージ。
【請求項１６１】
コンタクトレンズを収納するレトルトタイプ使い捨てパッケージのセットであり、各パッ
ケージが
ａ）コンタクトレンズを収納する内部空間を画定する、少なくとも第１と第２の向かい合
った面を形成する少なくとも１枚の柔軟なパッケージ材料の層
ｂ）コンタクトレンズを含水状態に維持する上記内部空間内の媒体
ｃ）パッケージからコンタクトレンズの取り出しを可能にする手段
を有し、
そのパッケージ材料が概ね平面の形態をとることが可能であり、
１つのパッケージがパッケージ間の破断の容易な接合部分を介して隣接するパッケージから
剥離され得るように、少なくとも２つのパッケージの端と端が結合して形成されているセ
ットであることを特徴とするレトルトタイプ使い捨てパッケージのセット。
【請求項１６２】
コンタクトレンズと、コンタクトレンズを含水状態に維持する媒体とを収納するための１
つの内部空間を有しているレトルトタイプ使い捨てパッケージ。
【請求項１６３】
レトルトタイプパッケージの柔軟性により、パッケージが巻かれる、折畳まれる、曲げら
れる、捻られる、平らにされるなどの力をコンタクトレンズと共に与えられながら、コン
タクトレンズを損傷することなく、それらの力に耐え得ることを特徴とする請求項１６２
に係るパッケージ。
【請求項１６４】
容器から成る複数のコンタクトレンズパッケージ用二次包装であり、その中のコンタクト
レンズパッケージが、その中のコンタクトレンズの常態の周縁部に対する湾曲外表面の高
さより浅いコンタクトレンズ収納空間の深さを有しており、その容器の形状が円形、長方
形、正方形、三角形、楕円形、それらの対称及び非対称形、またそれらの角に丸みをもっ
たバリエーションの中から選定されることを特徴とするコンタクトレンズパッケージ用二
次包装。
【請求項１６５】
その中のコンタクトレンズパッケージが、円形、長方形、正方形、三角形、楕円形、平行
する列、及びこれらの組合せの中から選定される形状にされることを特徴とする請求項１
６４に記載の二次包装。
【請求項１６６】
コンタクトレンズパッケージが積み重ねられた配置とされることを特徴とする請求項１６
５に記載の二次包装。
【請求項１６７】
積み重ねが５個から１０個のコンタクトレンズパッケージから成ることを特徴とする請求
項１６６に記載の二次包装。
【請求項１６８】
上記積み重ねが１０個から３０個のコンタクトレンズパッケージから成ることを特徴とす
る請求項１６６に記載の二次包装。
【請求項１６９】
更にコンタクトレンズパッケージが取り付けられるコンタクトレンズパッケージホルダー
シートを有することを特徴とする請求項１６４に記載の二次包装。
【請求項１７０】
パッケージが複数のホルダーシートを有することを特徴とする請求項１６９に記載の二次
包装。
【請求項１７１】
二次包装が３０日分、９０日分、１８０日分の中から選定されたコンタクトレンズパッケ
ージの供給量を有することを特徴とする請求項１６４に記載の二次包装。
【請求項１７２】
更にコンタクトレンズパッケージの積み重ね複数を収容する複数の区画を有する請求項１
６４に記載の二次包装。
【請求項１７３】
カバーにより上記区画が密封され、他の区画と連結されることを特徴とする請求項１７２
に記載の二次包装。
【請求項１７４】
カバーが真空形成のＰＥＴから成ることを特徴とする請求項１７３に記載の二次包装。
【請求項１７５】
蓋と基部を有する容器と複数のコンタクトレンズパッケージと取っ手とを有するコンタク
トレンズ旅行用パック。
【請求項１７６】
上記蓋が鏡を有することを特徴とする請求項１７５に記載の旅行用パック。
【請求項１７７】
上記蓋がくるりと返り開くことを特徴とする請求項１７５に記載の旅行用パック。
【請求項１７８】
コンタクトレンズパッケージが上記基部内において区画されて収容されることを特徴とす
る請求項１７５に記載の旅行用パック。
【請求項１７９】
コンタクトレンズパッケージがスライドガイドを有する上記基部に収容されることを特徴
とする請求項１７８に記載の旅行用パック。
【請求項１８０】
コンタクトレンズパッケージが独立したパッケージとされていることを特徴とする請求項
１７５に記載の旅行用パック。
【請求項１８１】
コンタクトレンズパッケージがジグザグ形に折りたたまれたコンタクトレンズパッケージ
のストリップから成ることを特徴とする請求項１７５に記載の旅行用パック。
【請求項１８２】
カバーと複数のコンタクトレンズ用容器を有する複数コンタクトレンズ用収納ケースであ
り、その容器が引上げインサートを有する収納ケース。
【請求項１８３】
コンタクトレンズが複数の独立したパッケージを有することを特徴とする請求項１８２に
記載の収納ケース。
【請求項１８４】
コンタクトレンズがジグザグ形に折りたたまれた少なくとも１片のコンタクトレンズパッ
ケージのストリップ有することを特徴とする請求項１８２に記載の収納ケース。
【請求項１８５】
ケースが最初に３０日分、９０日分の選定される日数分の供給量を有することを特徴とす
る請求項１８２に記載の収納ケース。
【請求項１８６】
更にコンタクトレンズの間につまみを有する請求項１８２に記載の収納ケース。
【請求項１８７】
上記つまみがコンタクトレンズの残量を表すことを特徴とする請求項１８６に記載の収納
ケース。
【請求項１８８】
引上げインサートが取っ手を有することを特徴とする請求項１８２に記載の収納ケース。
【請求項１８９】
コンタクトレンズ旅行用パックが収納ケースの蓋に取り付けら得ることを特徴とする請求
項１８２に記載の収納ケース。
【請求項１９０】
筒状容器を有する複数のコンタクトレンズ収容のディスペンサーであり、その容器の２つ
の端部それぞれがコンタクトレンズを分配するために開くことを特徴とするディスペンサ
ー。
【請求項１９１】
コンタクトレンズが角度をもって収納されることを特徴とする請求項１９０に記載のディ
スペンサー。
【請求項１９２】
コンタクトレンズがディスペンサーから滑り出ることを特徴とする請求項１９１に記載の
ディスペンサー。
【請求項１９３】
ディスペンサーの一方の端部が左眼用コンタクトレンズを分配し、他方の端部が右眼用コ
ンタクトレンズを分配することを特徴とする請求項１９２に記載のディスペンサー。
【請求項１９４】
上記基部と、その基部から延びる壁体とを有する複数のコンタクトレンズ用の収納スタン
ドであり、上記壁体がそこにコンタクトレンズを取り付けるための手段を有することを特
徴とする収納スタンド。
【請求項１９５】
コンタクトレンズパッケージが上記壁体に容易に取り付けられることを特徴とする請求項
１９４に記載の収納スタンド。
【請求項１９６】
ａ）細幅に開口するガイドを有する複数のコンタクトレンズホルダーシート
ｂ）上記ホルダーシートに添え付けられた複数のコンタクトレンズ
ｃ）細幅に開口するガイドを有する基部と、長穴を有する蓋とを有する少なくとも１つの
容器
ｄ）基部と中央の延長部分とから成るスタンド
を有し、
上記ホルダーシートが容器の範囲内に保管され、容器が上記基部上を滑動することを特
徴とする複数のコンタクトレンズ用の保管手段。
【請求項１９７】
アルミニウムコーティングされた封筒と、複数のコンタクトレンズパッケージと、窒素ガ
スとを有するコンタクトレンズ配送用容器であり、上記封筒が密封前に窒素ガスで満たさ
れることを特徴とするコンタクトレンズ配送用容器。
【請求項１９８】
コンタクトレンズを収納する使い捨てパッケージであり、そのパッケージがコンタクトレ
ンズを保持するための内部空間を画定する少なくとも１つの壁と、コンタクトレンズを含
水状態に維持する上記空間内の媒体と、該空間からのコンタクトレンズの取り出しを可能
にする手段とを有し、上記の少なくとも１つの壁が柔軟な材料で形成されることを特徴と
する使い捨てパッケージ。
【請求項１９９】
それぞれにコンタクトレンズを保持する目的の柔軟なレトルトタイプの使い捨てパッケー
ジが連なったキットであり、各使い捨てパッケージが少なくとも１つの隣接するパッケー
ジと連結されていることを特徴とするキット。
【発明の詳細な説明】
【技術分野】
【０００１】
本出願は、米国を指定国として２００２年８月７日にＰＣＴ出願されたＰＣＴ／ＡＵ０２
／０１１０５の一部継続出願として２００４年２月１７日に米国出願された特許出願ＵＳ
ＣＩＰ １０／７８１，３２１の一部継続出願に基づくものであり、それら両出願の内
容は、参照して本出願の内容とされるものである。
【０００２】
本発明は、コンタクトレンズの包装容器、特に、無菌性および環境問題上考慮が必要とな
る廃棄性を含むレンズの包装容器の基準を充たす経済的に改良された形式のコンタクトレ
ンズ用パッケージに関する。
【背景技術】
【０００３】
使い捨てソフトコンタクトレンズは、通常、使い捨てパッケージに収容されている。包装
容器はレンズに係る全体の費用を上昇させるので、包装容器に不可欠な基準を損なうこと
なくできるだけ経済的なものにしなければならない。これまでの使い捨てレンズ（２週間
タイプと１日タイプ）用ブリスターパッケージ（図１−図３）は、ポリエチレン、アルミ
ニウム、接着剤およびポリプロピレンの複数層フィルムで覆われたポリプロピレン製レン
ズ用容器（以下“ボート”とする）から構成される。ボートは通常、射出成形プラスチッ
クであり、高い剛性とわずかな弾性可撓性を有し、予備成形された凹部を含む。ボートは
保存に適した溶液、好ましくは食塩水で充たされ、レンズ１枚をその中に保存する。ブリ
スターパックは蒸気を使用し加圧処理され最終的に滅菌される。これらブリスターパック
は、個々のパックを箱に入れるか（図４、図５）、若しくは複数をストリップに連ねた状
態として患者に与えられる。
【０００４】
販売する上での目的は、滅菌性と安定性の両方の法定上の要件を充たしレンズを安全且つ
簡単に取り出すことができ、見た目の美しいパッケージでコンタクトレンズを患者に与え
ることである。包装容器は一度だけしか使用されず、レンズを取り出した後は捨てられる
。このことは、レンズとパッケージを合わせた費用に大きく影響する。患者にとってレン
ズに係る全体の価格を抑えるために、包装容器に係る費用を最低値に抑えなければならな
い。更に、レンズパッケージの廃棄性は環境保護基準に適合する必要がある。
【０００５】
コンタクトレンズはパッケージの中で、含水状態に保たれなければならない。パッケージ
は十分に密封されなくてはならず、また、保存期間を極限まで延ばすよう、ボートやラミ
ネート層を通しての水分の透過を最低限に抑え、パッケージ内に収容されたレンズが乾燥
するのを防がなければならない。使用する場合は、ラミネート材料を“ボート”に形成さ
れたフランジから剥ぐことで取り除き、保存液に浸されたレンズを現出させる。
【０００６】
様々な種類のコンタクトレンズパッケージ、特に予備成形ブリスターパックを含む使い捨
てコンタクトレンズパッケージが従来技術で知られている。従来技術が典型的に示すとこ
ろでは、コンタクトレンズ業界の通念は、荷重によるレンズのダメージを防ぐために予備
成形の硬性のパッケージを規定してきた。代表的な公知のブリスターパッケージの例は、
米国特許第５７０４４６８号、米国特許第４３９２５６９号、米国特許第５６２００８８
号、米国特許第４６９１８２０号、米国特許第５８２３３２７号、米国特許第５８５３０
８５号、欧州特許公開ＥＰ１０９２６４５Ａ１、欧州特許ＥＰ１０９２６４５、欧州特許
ＥＰ０１２９３８８に開示されている。
【０００７】
柔軟なレトルトパッケージは、コンタクトレンズでの使用でなくとも知られている。その
ようなパッケージの１つが米国特許第４７６９２６１号に開示されている。この特許では
、ABAフィルム構造から構成される大きなサイズのレトルト袋において使用される密封層
について示唆しており、A層はそれぞれ少量のエラストマーと多量のポリオレフィンの混
合物から成り、B層は多量のエラストマーと少量のポリオレフィンの混合物から成る。レ
トルト袋は、密封層が衝撃に対する向上した強度を示すのでABAフィルム構造で作られる
。特許第４７６９２６１号においては、コンタクトレンズの収容にレトルトパッケージを
使用することは説かれていない。
【発明の開示】
【発明が解決しようとする課題】
【０００８】
公知のコンタクトレンズパッケージには、以下の点を含むいくつかの不利な点がある。
【０００９】
1.  パッケージは、2種類の材料を使用し、そのうちの１種類は予備成形されるもので製
造に係る費用を上昇させているため、毎日の使い捨てパッケージとしては比較的高価であ
る。消費者はレンズに係る費用を上昇させる原因となるパッケージには抵抗を示す。これ
は毎日の使い捨ての市場の成長と市場競争にとって大きな問題となるであろう。
【００１０】
2.  従来技術のパッケージは、伝統的に２つの全く異なる材料から製造される。1つはレ
ンズを収容するボートに使用され、もう１つはカバーに使用される。これは滅菌性の低下
というリスクを伴う密封の問題となる可能性がある。時間の経過と共に、密封が粗末なブ
リスターパックは内容物の水分の蒸発と、パックを役に立たないものとする可能性がある
。欠陥の補正は、潜在的欠陥のある商品のリコールを伴うであろうし、製造業者にとって
は財政上も、商品の品質に対する世評という点でも潜在的に高価なものとなる。
【００１１】
3.  良好で無い、すなわち、不完全なパッケージの密封による滅菌されていないレンズは
、患者の目に感染症を引き起こし、結果として眼の機能低下とこれに伴う訴訟のリスクを
生じさせる可能性がある。
【００１２】
4.  包装容器のサイズはレンズ自体のサイズより数倍大きいので、使い捨てレンズの概念
としては不利な点である。ポリプロピレン製ブリスターの構成部分であるため、個々のパ
ッケージはレンズ全体としての厚みよりもより若干厚さがあり、そのため使い捨てのよう
な外見にはならず又その形や大きさのため都合良く積み重ねることもできない。もし消費
者が旅をすると、レンズはかさばるアイテムであることが分かるだろう。
【００１３】
5.  レンズの包装容器に対するこれまでの伝統的取り組みは、パッケージ内でレンズの原
形を維持しようとすることにあった。この伝統的取り組みはパッケージの構造に制限を加
える。
【００１４】
使い捨てコンタクトレンズ業界において、レンズの耐久性、滅菌性および有用性を損なう
ことなく経済的で無駄な空間が無く便利な使い捨てコンタクトレンズパッケージを提供す
ることが長い間求められている。
【課題を解決するための手段】
【００１５】
本発明は、コンタクトレンズパッケージについての法定上の要件と医療上の要件を損なう
ことなく上記伝統的なものに取って代わるより経済的なパッケージを提供することで、上
述の如き問題を改善することを試みている。
【００１６】
以下に実施例で示すように、本発明の使い捨てパッケージは従来技術のブリスターパック
に比べ多くの利点を提示する。まず、この使い捨てパッケージはより小さく且つ薄く、使
い捨て可能とし、旅行に携帯するのにも理想的である。次に、二次包装に収容されるパッ
ケージの数量を増やすことが可能となり、更にその二次包装の保管スペースを小さくする
ことができる。使い捨てパッケージは露光を安定させ酸素の透過を防ぐホイルシートで構
成し得る。更にまた、パッケージに空気を含まないのでオートクレーブ処理は不要となる
。パッケージ内に空気の無い状態であることは、おそらくレンズの安定性の一因となる。
従って、使い捨てパッケージ内のコンタクトレンズの保存期間は延長され得る。全般的に
みて、使い捨てパッケージは包装容器としてより至便で費用効果の高い形態である。
【００１７】
従来の考えでは使い捨てコンタクトレンズパッケージは剛性を有しレンズを収容するため
の凹形状に予備成形される必要があるとしている。公知のパッケージの予備成形された凹
部は、レンズの形状が確実に維持されパッケージによって変形されないようにすることを
目的としている。本発明の幾つかの実施例に基づく好ましい使い捨てパッケージは従来の
考えに反して、レンズを平衡状態に維持するのでなく、レンズを平らな状態に収容する。
使い捨てパッケージのコンタクトレンズ収納空間の深さは本来のコンタクトレンズの周縁
部に対する湾曲外表面の高さより浅い。更に、使い捨てパッケージは柔軟且つ予備成形さ
れていなくともよくパッケージ内のレンズの形状に適合し得る。本発明は、使い捨てレン
ズパッケージは剛性を有し、負荷に対して大部分は硬く且つ弾性変形性を有さなければな
らないという長い間持たれていた見解に対し挑戦するものである。パッケージの剛性は、
以前はレンズを保護するために必須と考えられていた。しかしながら、もし包装容器に必
須の基準であるとされる周壁の剛性を必要ないものとした場合、空間を大幅に節約するこ
とができる他のコンタクトレンズパッケージが考えられ得る。
【００１８】
１つの実施例によると、本発明は、その中にコンタクトレンズを収容した使い捨てパッケ
ージであり、そのパッケージは、コンタクトレンズが平衡状態にある場合、パッケージの
コンタクトレンズ収納空間の深さは常態のコンタクトレンズ周縁部に対する湾曲外表面の
高さより浅いものである。
【００１９】
別の実施例によると、本発明は、モールドされた基部とカバーとコンタクトレンズを有し
つまみリスターパッケージであり、そのパッケージの上端から下端の深さはその中の常態
のコンタクトレンズ周縁部に対する湾曲外表面の高さより浅いものである。
【００２０】
他の実施例によると、本発明は、コンタクトレンズをコンタクトレンズパッケージから取
り出す手段である。その手段は、以下の段階を含む：スプリングディスクとコンタクトレンズを
有するパッケージを人差し指に載せる；コンタクトレンズが人差し指先端に載るように弾性ディス
クの中央部を人差し指で押し分け貫通させる；人差し指に載ったコンタクトレンズを眼に装着する
。
【００２１】
別の実施例によると、本発明は、使い捨てパッケージとカードの組合せであり、使い捨て
パッケージは取り外し可能にカード上に付着している。
【００２２】
他の実施例は、コンタクトレンズを保持する内部空間を画定する少なくとも１枚のバリア
材料と、その空間にレンズを含水状態に維持する媒体と、レンズをその空間から取り外す
方法を有するコンタクトレンズを保持用の使い捨てパッケージを示しており、少なくとも
１枚のバリア層は均質の柔軟な素材から形成されている。
【００２３】
別の実施例によると、コンタクトレンズを動かないよう保持することが可能な使い捨てパ
ッケージが示されている。そのパッケージは２枚の材料シートと、そして、その２枚の材
料シートの間にサポート部材を有している。２枚の材料シートは密封されており、レンズ
はパッケージ内で常に定位置に維持されるように固定されている。
【００２４】
また、その中にコンタクトレンズを収容した少なくとも９０個の使い捨てパッケージを収
納したカートンが考えられており、その各パッケージは、その中のコンタクトレンズ周縁
部に対する湾曲外表面の高さより浅いコンタクトレンズ収納空間の深さを有する。
【００２５】
他の実施例では、本発明はその中にコンタクトレンズを収容した使い捨てパッケージであ
り、そのパッケージの構成は、パッケージが開かれた時にレンズが収容されたとき置かれ
た場所と同じ場所に常に配置されるようになされている。
【００２６】
更に別の実施例では、本発明はその中に複数のコンタクトレンズを有するコンタクトレン
ズパッケージ容器である。コンタクトレンズパッケージの分配は、１つのコンタクトレン
ズパッケージが取り出されると次のコンタクトレンズパッケージが自動的に取り出される
場所に移動するようになっていることで行われる。
【００２７】
他の実施例は、その中にコンタクトレンズを備える使い捨てパッケージである。そのパッ
ケージは、平衡状態にあるコンタクトレンズ周縁部に対する湾曲外表面の高さより浅いコ
ンタクトレンズ収納空間の深さを有しており、互いに密封係合される２枚のシート材料を
有し、その少なくとも１枚のシートには印刷がなされており、少なくとも１つの角が密封
されないことで開封を容易にする角が供される。パッケージが密封されている間その中の
コンタクトレンズは平らな状態で保持され、パッケージが開けられた時コンタクトレンズ
は常態に戻る。印刷は、使用方法や処方情報を備える集まりから選ばれる。少なくとも１
枚のシート材料にはエンボス加工がなされておりレンズがシートに付着するのを防ぐので
、パッケージが開けられた時にレンズは予想どおりの向きで供される。
【００２８】
別の実施例は、コンタクトレンズをその中に収容した使い捨てパッケージである。そのパ
ッケージは互いに密封係合される２枚の材料シートと、そのシート間にあるスプリングディスク
と、水和媒体とを有する。パッケージが密封されている間、その中でレンズは平らな状態
に保持される。
【００２９】
また、一群のパッケージのうちから使い捨てコンタクトレンズパッケージを取り出す手段
が考えられている。その手段は、その中に複数のコンタクトレンズパッケージを収容する
ディスペンサーを有し、そのディスペンサーから少なくとも１枚のコンタクトレンズパッ
ケージを取り出すことで成される。
【００３０】
更に、パッケージ内で平衡状態にあるコンタクトレンズ周縁部に対する湾曲外表面の高さ
より浅いコンタクトレンズ収納空間の深さを有する使い捨てコンタクトレンズパッケージ
の開封手段が提示されている。その手段は、分離した第１のバリア層と第２のバリア層を
有する。
【００３１】
別の実施例では、本発明はその中にコンタクトレンズを保持できる使い捨てパッケージで
ある。そのパッケージは、コンタクトレンズを保持する内部空間を画定する少なくとも第
１及び第２の対向する面を形成する柔軟なパッケージ材料である少なくとも１枚のバリア
層と、内部空間の水和媒体と、パッケージからコンタクトレンズを取り外す手段とを有し
ている。少なくとも１枚のバリア層材料は平坦で可撓性のあるものである。
【００３２】
他の実施例では、その中にコンタクトレンズを保持するレトルトタイプの使い捨てパッケ
ージのセットが提示される。そのパッケージはそれぞれ、コンタクトレンズが保持される
内部空間を画定する少なくとも第１及び第２の対向する面を形成する柔軟なパッケージ材
料である少なくとも１枚の層と、レンズを含水状態に維持する内部空間の媒体と、パッケ
ージからのコンタクトレンズの取り外しを可能とする手段とを有している。そのパッケー
ジ材料はおおむね平面な形態をとることが可能である。そのセットは、少なくとも２つの
パッケージの端部と端部を連結して形成されており、１つのパッケージは、パッケージ間
の破断の容易な接合部分によって、対のパッケージから切り離し可能である。
【００３３】
別の実施例では、コンタクトレンズを保持する内部空間とその中でコンタクトレンズを含
水状態に維持する媒体を有するレトルトタイプの使い捨てパッケージが提示される。
【００３４】
また、容器から成り、コンタクトレンズパッケージ複数を収容するための二次包装が考え
られる。その中に収容されるコンタクトレンズパッケージ内部の深さは、その中のコンタ
クトレンズの周縁部に対する湾曲外表面の高さより浅いものである。この容器の形状は、
円形・長方形・正方形・三角形・楕円形・それらの対称及び非対称形、またそれらの角に
丸みをもったバリエーションの中から選定される。
【００３５】
別の実施例では、本発明は、蓋部分と本体とを有する容器と、複数のコンタクトレンズパ
ッケージと、取っ手とから成る旅行用コンタクトレンズパックである。
【００３６】
他の実施例は、カバーと、複数のコンタクトレンズを収容する容器とを有する複数のコン
タクトレンズ用の保管ケースを提示する。その容器は引上げインサートを有する。
【００３７】
また、コンタクトレンズを取り出すのに２つの端部がそれぞれ開くようになっている環状
の容器から成る、複数のコンタクトレンズ用のディスペンサーが考えられる。
【００３８】
他の実施例は、基部と、その基部から延びる壁体とを有する複数のコンタクトレンズ用の
収納スタンドである。その壁体は、そこにコンタクトレンズを取り付けるための手段を有
する。
【００３９】
別の実施例では、細幅に開口するガイドを有する複数のコンタクトレンズホルダーシート
と、ホルダーシートに取り付けられた複数のコンタクトレンズと、細幅に開口するガイド
を有する基部と長穴を有した蓋部とから成る少なくとも１つの容器と、基部と中央の延長
部分とを有したスタンドとから成る複数のコンタクトレンズ用の収納手段が提示される。
ホルダーシートは容器の範囲内に収納され、容器は基部上を滑動する。
【００４０】
別の実施例では、アルミニウムコーティングされた包みと、複数のコンタクトレンズパッ
ケージと、窒素ガスとを有したコンタクトレンズ配送用容器が示される。その包みは、密
封前に窒素ガスで満たされる。
【００４１】
他の実施例は、その中にコンタクトレンズを保持するための使い捨てパッケージを提示す
る。このパッケージは、コンタクトレンズを保持する内部空間を画定する少なくとも１つ
の壁部と、レンズを含水状態に維持するためのその空間内の媒体と、その空間からレンズ
を取り外す手段とを有する。少なくとも１つの壁部は、均質、若しくは複数層の柔軟な材
料で形成される。
【００４２】
別の実施例では、それぞれコンタクトレンズを保持する柔軟なレトルトタイプの使い捨て
パッケージが連ねられたキットを提示する。各使い捨てパッケージは少なくとも１つの隣
接するパッケージと連結される。
【００４３】
本発明において考えられる１つの様相である使い捨てコンタクトレンズパッケージの製造
手段である。その手段は、柔軟な材料からなる一重のシートを用い、コンタクトレンズを
そのシート表面に配置し、その材料表面に適量の含水状態を維持する媒体を加え、その材
料をコンタクトレンズが保持される空間を画定するのに折り返し、コンタクトレンズを密
封状態に保持するよう包みを密封する、という段階を有する。
【００４４】
別の実施例は、その中にコンタクトレンズを有する使い捨てパッケージの作製手段を提供
する。その手段は以下の通りである、コンタクトレンズにスプリングディスクを被せる、弾性デ
ィスク及びコンタクトレンズに必要最小量の水和媒体を加える、１枚の材料シートを弾性
ディスクとレンズの上部に被せ、１枚の材料シートをスプリングディスクとレンズの底に配置す
る、そしてその上部と底の材料シートを密封する。
【００４５】
別の実施例において、本発明はその中にコンタクトレンズを有する使い捨てパッケージの
作製手段である。その手段においてパッケージは、そのコンタクトレンズ周縁部に対する
湾曲外表面の高さより浅い深さを有している。その手段は、コンタクトレンズ及び必要最
小量の水和媒体を２枚のシートの間に置き、包みと内容物が滅菌状態になるようそのシー
トを互いに密封係合させ、パッケージを少なくともその１端に沿って裂くなどすることで
、レンズを取り出すようにする、という段階を有する。
【発明を実施するための最良の形態】
【００４６】
以下に本発明を、好適なしかし限定されない実施例に基づき、添付図面を参照して説明す
る。
【００４７】
“コンタクトレンズ収納空間の深さ”という用語は、コンタクトレンズパッケージが平坦
な面にある時に、そのパッケージのコンタクトレンズ保持部分全体の高さから、そのコン
タクトレンズ保持部分を成す対向する壁の厚みの合計を減ずることで確定されるコンタク
トレンズパッケージ内のコンタクトレンズ保持部分の深さを意味する。
【００４８】
“周縁部に対する湾曲外表面の高さ”という用語は、平坦な面上に撓むなどしていない状
態で置かれたコンタクトレンズ全体の高さを意味する。
【００４９】
コンタクトレンズをその“平衡状態”にあると述べることは、コンタクトレンズがその形
状や高さに影響を及ぼす如何なる外部からの力の制限を受けない状態を意味する。
【００５０】
明細書中において均質なという用語は、同じ材料の単一層（つまり、ラミネート層ではな
い）から形成されるパッケージの壁部を指す。均質な単一層材料から成ると説明されるパ
ッケージのうち多くはまた、本文書中に述べられているように適するプラスチックの組合
せ若しくは適するプラスチックと金属層の組合せから形成され得る多重層ラミネート材料
からも構成され得る。
【００５１】
図１及び図２では、２つの部分から形成される典型的な従来技術の使い捨てブリスターコ
ンタクトレンズパッケージ１が示されている。パッケージ１はブリスターパック部２を有
する。ブリスターパック部２はパッケージ１の蓋を形成する薄膜３によって密封されてお
り、中のコンタクトレンズ４を取り出すのに、その薄膜は剥離され得る。図３では、図２
のパッケージのコンタクトレンズ４を現出させるよう薄膜３が剥離されている状態が示さ
れている。典型的な場合、部材２は予備成形ブリスターパックであって、レンズが置かれ
得る凹部となる特殊形状の凹部５を有する。部材２は典型的には射出成形され、パッケー
ジはフランジ６と番うことで滅菌密封状態をつくり出す密封部材３によって完備される。
コンタクトレンズ４は保存液７に浸され、パックから取り出されるまで含水状態に維持さ
れる。予備射出成形ではパッケージの製造は高価なものになり、結果として必然的にコン
タクトレンズは消費者にとってさらに高価なものとなってしまう。
【００５２】
図４は、２つの同一の従来技術のコンタクトレンズパッケージ１０及び１１に関する積み
重ねの形態を示している。図４から２つのパックは都合よく咬み合っているが、それらは
パック２つの厚さ（深さ）よりも厚いことが分かる。コンタクトレンズが比較的小さいこ
とを考慮すると、理想的にはレンズパッケージはできるだけ空間を占めないものとすべき
である。空間の節約は、レンズが大量生産されるものなので重要な問題である。既存のブ
リスターパックはレンズの大きさと比較して不釣合いな大きさの空間を占めており、取り
扱い及び保管にかかる費用を増大させている。図５は複数の同様なブリスターパック１２
が図４の様に積み重ねられ、カートン１３に収容された状態を示している。レンズは外部
負荷からレンズを隔てる硬い容器以外では積み重ねることができないとされる従来の考え
の結果、かさばり不便な、原材料多量消費のレンズパッケージの形となる。
【００５３】
図６及び図８に示される本発明にかかる使い捨てパッケージの１つの実施例では、使い捨
てパッケージ１８は互いに密封係合される第１及び第２のシート材料１４、１５を有して
いる。この実施例では、２枚のシートのうち１５のシートにエンボス加工１６がなされて
おり、また凸状の湾曲部を有している。エンボス加工１６は、図８に示されるように、レ
ンズ４がエンボス加工されたシート１５に付着するのを防ぐことでレンズ４を取り外す助
けとなる。それにより、使い捨てパッケージ１８が開封された時のコンタクトレンズ４が
予測可能な向きにあるようにされる。図７及び図９における他の実施例に示されるところ
によると、エンボス加工された面１６ａは上側のシート１４ａに備えられてもよい。この
例では、同時に凹状の湾曲部１９ａを有している。図９では、実施例のコンタクトレンズ
は底のエンボス加工のないシートに付着している。エンボス加工１６は、図１０から図１
２にその例が示されるように、抽象的図柄、格子柄、ロゴと多彩な形状を取り得る。別の
方法として、図１３及び図１４の本発明の実施例では、使い捨てパッケージ１８はエンボ
ス加工なされていない。シート１４、１５は、不透明、透明、また白色もしくは薄い緑色
などで着色されるなどとされてもよい。シートが着色されている場合、１つの好適な実施
例は、コンタクトレンズが容易に見受けられるように、着色はコンタクトレンズに向け内
側方向になされるのがよい。更に、シート１４、１５は、その上に印刷がされ得る。その
印刷としては、例えばシンボル（文言、線図、図形など）、処方、使用法、製造情報など
が考えられる。この印刷は、パッケージの外側とされ得るが、より好ましくはコンタクト
レンズに向け内側方向（パッケージの密封時に）に配される、それによりコンタクトレン
ズは見受けられやすくなる。
【００５４】
図１５から図１７及び図１９に示される別の実施例では、使い捨てパッケージ１５６はサ
ポート部材２０を有する。サポート部材２０は、使い捨てパッケージ１５６の内部でコン
タクトレンズ４を囲んでいる。サポート部材２０は可撓性があっても堅くともよく、例え
ば、ポリプロピレン（ＰＰ）、ポリプロピレン共重合体（ＰＰＣＯ）、ポリメチルペンテ
ン（ＴＰＸ）、ポリカーボネート（ＰＣ）、ポリサルフォン（ＰＳＦ）、ポリエチレンナ
フタレート（ＰＥＮ）、環状オレフィン共重合体（ＣＯＣ）、フッ化エチレンプロピレン
（ＦＥＰ）などの適した重合体か、他の類似の材料から構成され得る。サポート部材２０
は、使い捨てパッケージ１５６の平坦な輪郭を変化させない。更に、サポート部材２０の
厚みは、使い捨てパッケージ１５６が密封状態である時、なおコンタクトレンズ４の周縁
部に対する湾曲外表面の高さより浅いようになされている。サポート部材２０はまた、使
い捨てパッケージ１５６の移動や開封の助けとなる取っ手２１（図１５）を備え得る。取
っ手部分２１は、随意に図１７に示されるよう、使い捨てパッケージ１８を掴むのに役立
つ切り抜き２４を有してもよい。
【００５５】
図１８に説明される別の実施例では、サポート部材２０ａは網目状部分２２を有している
。網目状部分２２は、レンズが使い捨てパッケージ１５７の内部にある時に、網目状部分
２２上に載っている様に、コンタクトレンズ４を更に保持する役を果たす。網目状部分２
２は、例えば、ポリプロピレン（ＰＰ）、ポリプロピレン共重合体（ＰＰＣＯ）、ポリメ
チルペンテン（ＴＰＸ）、ポリカーボネート（ＰＣ）、ポリサルフォン（ＰＳＦ）、ポリ
エチレンナフタレート（ＰＥＮ）、環状オレフィン共重合体（ＣＯＣ）、フッ化エチレン
プロピレン（ＦＥＰ）などの適した重合材料か、他の類似の材料から構成され得る。
【００５６】
サポート部材２０のある使い捨てパッケージ及びサポート部材２０の無い使い捨てパッケ
ージは多様な形状をとり得る。例えば使い捨てパッケージは正方形・長方形・楕円形・円
形・涙形・８の字形・三角形・それらの組合せ・それらの対称及び非対称形、またそれら
の直定規及び角に丸みをもつものなどとすることができる。
【００５７】
図２２から図４３に示される他の実施例では、使い捨てパッケージはコンタクトレンズ用
第１空間３４と水和媒体用第２空間３２とを有することができる。この組合せは多様な形
状を取り得る、それらのうちいくつかにおいては、水和媒体用第２空間は平らな円い形状
とされ、随意で取っ手として使用される。図２２及び図２８は、水和媒体用第２空間３２
がコンタクトレンズ用第１空間３４に取り付けられても良く、その２つの空間は使い捨て
パッケージ１６０を成す２枚のシートの間の連接部３１によって切り離され得ることを説
明する。連接部３１は、撓み容易に折れるものとすることができる。例えば、図３４では
第２空間３２は折り取られ、図２２、図２８、図３５、図３６では第１空間３４から切り
取られる。水和媒体用第２空間３２はキャップ３０を有しても良い。キャップ３０は、引
っ張ったり、ひねったり、折り取ったりすることで取り外され得る。また、図２４から図
２５の使い捨てパッケージ１６１に示されるように、第２空間３２は第１空間３４に連結
されたままでも良い。第１空間３４と第２空間３２は同時に開封されても、別々に開封さ
れてもよい。１つの例では、コンタクトレンズ用第１空間３４は水和媒体用第２空間３２
に先んじて開封される。別の例では、水和媒体用第２空間３２はコンタクトレンズ用第１
空間３４に先んじて開封され得る。第１空間と第２空間とは、同じ手段若くは異なる手段
で開封されてもよい。第１空間と第２空間３４、３２とはホイル製カバー２６（図２８）
または別のカバーを剥離することで開封され得る。また、第１空間３４はホイル製カバー
２６を剥離されることで開封され得、第２空間３２はキャップ３０を取り外すことで開封
され得る。図２６、図２７では、第１空間３４がホイル製カバー２６または別のカバーを
剥離されることで開封されており、一方第２空間３２は、取り付けられたまま未開封であ
るところが示されている。
【００５８】
カバーは、基部、サポート部材、若しくは使い捨てパッケージを成すシートの１枚に熱処
理密封されてもよい。熱処理密封はパッケージの周囲全てに成されてもよく、又は、コン
タクトレンズを収納する第１空間の周りにだけ成されてもよい。第１及び第２空間３４，
３２は、そのどちらかが、また両方が開封される前後のどちらに切り離されてもよい。別
の実施例では、水和媒体用第２空間３２は、その第２空間３２が第１空間３４から切り離
されることで開封されてもよく、それに伴って、図３４の使い捨てパッケージ１６２の実
施例に示されるように、水和媒体を排出できる開口部つまり流路３６が現れる。他の実施
例では、図４０に示されるよう、第１及び第２空間は、使い捨てパッケージ１６３のカバ
ー２６を剥離することで開封される。図３７から図３９に示される実施例では、２つの空
間３２、３４はカバー２６をその端から引き剥がすことで開封されてもよく、その両方を
同時に開封することも、一方を密封したまま片方の空間を開封することもできる。
【００５９】
水和媒体は、コンタクトレンズ使用に適する如何なる溶液でもよい。例えば、水和媒体は
、再湿潤液、洗浄液、他の保存液が可能である。適した水和媒体の１例は、食塩水である
。
【００６０】
図４１及び図１１６から図１１７に示される他の実施例では、１つの使い捨てパッケージ
１６４また１８２は、他の同一の使い捨てパッケージ１６４または１８２に連接可能であ
る。連接された使い捨てパッケージは、ストリップ４１の形状としてもよい。連接される
使い捨てパッケージ１６４の数量は、１から９０、または、９０から１８０とすることが
出来る。連ねられた使い捨てパッケージのストリップ４１は、巻き上げても、ジグザグ形
に折畳まれてもよい。連接されストリップ４１の形を成す使い捨てパッケージ１６４また
１１８は、コンタクトレンズ用第１空間３４のみ有しても、また、水和媒体用第２空間３
２を同時に有してもよい。使い捨てパッケージ間の連接部３１及び７６は、可撓性があり
容易に破談される。さらに図４１の実施例では、使い捨てパッケージ１６４の開封を補助
する破断用切り欠き４０が示されている。
【００６１】
使い捨てパッケージのストリップ４１、または、複数の同じ使い捨てパッケージは、次の
パッケージが現れるタイプのディスペンサーで使用可能である。この実施例では、複数の
使い捨てパッケージ１６４及び１１８は、容易に破談される連接部３１，７６（図１１６
、図１１７）を介して互いに連接され、１個の使い捨てパッケージ１６４が取り外される
と別の１個が取り出し部分に来るというように、１度に１個の使い捨てパッケージが取り
出される。また、複数の同じ使い捨てパッケージがディスペンサーに収容されており、１
個の使い捨てパッケージ１６４が取り出される時、次の同様な使い捨てパッケージ１６４
に係合し、それにより次のパッケージ１６４が続いて取り出せるようになるという方法が
ある。
【００６２】
図４４、図６７で示される例では、使い捨てパッケージは、その中にコンタクトレンズ４
を平らな状態で保持し、パッケージが密封されている間コンタクトレンズが動くのを制限
する。図４４では、使い捨てパッケージ１６４は、典型的な従来技術のブリスターパック
２７で生じるコンタクトレンズ４の問題のある動きを防ぐ。図４６から図４８で説明され
るように、従来技術のブリスターパック２７のコンタクトレンズ４は、逆さになる、転位
する、側面に付着する、半分に折れるといった可能性がある。しかしながら、本発明のい
くつかの実施例における使い捨てパッケージは、コンタクトレンズ４を、パッケージが密
封された時最初にレンズが置かれた位置と同じ位置に保持する。更に、コンタクトレンズ
４は、使い捨てパッケージが開封された時、常に所期される向きで提供される。このこと
は、装着の前にレンズを整える必要を軽減し、レンズ損傷のリスクやレンズ及び装着者の
眼を汚染するリスクを軽減する。これはまた、装着者へのコンタクトレンズの装着を容易
にする。概して、装着者の視力は、コンタクトレンズ装着前は幾分損なわれているであろ
うから、パッケージが開封された時、見ることが出来なくとも、コンタクトレンズの位置
が分かることは有益である。
【００６３】
本発明の好ましい使い捨てパッケージの顕著な特徴は、その中でコンタクトレンズ４が平
らな状態に保持されることであるが、使い捨てパッケージそのものは平坦である必要はな
い。使い捨てパッケージは、多様な形態を取り得るが、薄い輪郭で、コンパクトに積重さ
れ収容される使い捨てパッケージが好ましい。
【００６４】
図４９Ａから図５１Ｂに示されるよう、使い捨てパッケージを作製するのに有効な構造や
形態は多様である。図４９Ａ、図４９Ｂで、小袋タイプ使い捨てパッケージ１６５は、３
層から形成される。２枚のシート材料外層１４、１５は通常アルミニウムホイルであり、
内方の層はポリプロピレン若しくは他の適した重合体である。このタイプの使い捨てパッ
ケージ１６５の典型的な厚みは、ほぼ１．０ｍｍであるが、材料やデザインの選択により
減ずる事が出来る。アルミニウムホイルとポリプロピレン（または他の適した材料）は、
図５０Ａと図５０Ｂの小袋タイプでない使い捨てパッケージ１６６にも使い得る、そのパ
ッケージの全体の厚みは、ほぼ１．０ｍｍ〜２．０ｍｍである。この実施例では、ホイル
は、パッケージのカバーと基部の両方に使用され得る。図５１Ａと図５１Ｂに示される総
ポリプロピレン製使い捨てパッケージ１６７は、ほぼ２．０ｍｍ〜３．０ｍｍの厚みとさ
れ得る。これらの構造は、スプリングディスク４６（図６１から図６９）やサポート部材２０の
あるなしにかかわらず使い捨てパッケージに使用可能であり、如何なる形状や色でもよい
。例えば、他の適した重合体がポリプロピレンに代わって、またポリプロピレンと組み合
わされて使用されうる。
【００６５】
図５２は使い捨てパッケージ１８８の別の実施例であり、使い捨てパッケージのコンタク
トレンズ収納空間の深さ（“ＩＤ”）が示されている。このパッケージにおけるコンタク
トレンズ収納空間の深さは、パッケージの高さからカバー材料４７の厚みと突出部４２を
形成する材料の厚みを減じることで測定される。他のパッケージでは、コンタクトレンズ
を保持するのに使用されない部分があり得る。これらの部分は、コンタクトレンズ保持部
のコンタクトレンズ収納空間の深さを測定する場合、無関係である。本発明の使い捨てパ
ッケージにかかる実施例の幾つかにおけるコンタクトレンズ収納空間の深さは、ほぼ０．
１ｍｍから３．５ｍｍであり、更に好ましくは０．１ｍｍから３．０ｍｍである。その大
きさに係わらずコンタクトレンズ収納空間の深さは常に、コンタクトレンズが平衡状態に
あるときのコンタクトレンズ周縁部に対する湾曲外表面の高さより浅い。平衡状態では、
コンタクトレンズ周縁部に対する湾曲外表面の高さは、概して３．８ｍｍより大きく、多
くの場合５．０ｍｍである。
【００６６】
図５３から図５５に示される使い捨てパッケージ１６８の１つの実施例では、凹部４３に
島状の突出部４２があり、その上にコンタクトレンズ４が置かれる。コンタクトレンズ４
は使い捨てパッケージのカバー２６により平らな状態に保持され、突出部４２上に固定さ
れる。更に、使い捨てパッケージの少なくとも片面には滑らかでない面があり得る。例え
ば、その滑らかでない面は浮彫りの隆起やうねでよく、使い捨てパッケージの片面になさ
れても両面になされてもよく、また取っ手にあってもよい。この実施例では、浮彫り４４
は使い捨てパッケージの片側にあり、使用者がコンタクトレンズ１６８を容易に把持する
のを可能にする、加えて基部の角にある切り抜き２４はカバーシート２６を取り除くのを
容易にする。
【００６７】
別の実施例では、使い捨てパッケージ１５６は涙形でありサポート部材２０に切り抜き２
４を有しており、使い捨てパッケージ１５６の扱いを容易にする。図５６から図６０は、
カバー２６のある又は無い涙形の使い捨てパッケージ１５６が、不透明及び透明の両方で
示されている。側面図は、使い捨てパッケージ１５６のカバー２６が取り除かれるまで、
平らな状態に保持されているコンタクトレンズ４を説明する。
【００６８】
図６８に示されるように、使い捨てパッケージ１６９には、ポリプロピレン製弾性ディス
ク４６ｃが加えられてもよく、その目的は使い捨てパッケージ４が密封されている間に、
コンタクトレンズ４を平らな状態に保持する補助をすることと、使い捨てパッケージ１６
９が開封された時コンタクトレンズ４をその平衡状態に戻す補助をすることである。図６
１、図６２及び図６９から図８６に示されるよう、スプリングディスク４６ａ〜４６ｔの多彩な
実施例は、本発明の幾つかの実施例において考えられている。スプリングディスク４６ａ〜４６
ｔ全てに共通する特徴は、平衡状態にあるということである。スプリングディスク４６ａ〜４６
ｔは平坦ではない。しかしながら、図６３から図６８に示されるように、それらは、使い
捨てパッケージ１６９に密封されている時、与圧され平らな状態に保持され得る。他の様
々な様態も可能であるが、使い捨てパッケージを密封する２種類の異なる方法が図６４と
図６８に示される。図６４では、２枚のシート材料１４、１５は、一端で互いに封をされ
、そして他端でスプリングディスクをその中にして封がされる。また、図６８では使い捨てパッ
ケージを構成する２枚のシート材料１４、１５は、両端で互いに密封係合されている。
【００６９】
図６７、図６８及び図１１０から図１１３では、使い捨てパッケージは弛緩した状態で示
されており、スプリングディスク４６ｃはアーチ形をなす。しかしながら、スプリングディスク４６ｃ
は、使い捨てパッケージの２枚のシート材料１４、１５の間に配置され密封された場合、
平らにされ、ひいてはその上のコンタクトレンズ４も平らとなる（図６７）。使い捨てパ
ッケージ１６９が開封されると、スプリングディスク４６ｃは持ち上がりそのアーチ状態となり
、コンタクトレンズ４は‘即座に装着できる’体勢とされる。言い換えれば、レンズ４は
拇指と人差し指に挟まれ取り出され、装着者の眼に装着され得る（図６８）。スプリングディスク４
６ｅ上にあるコンタクトレンズ４の斜視図が図８６に示される。見取れるように、平衡状
態でスプリングディスク４６ｅは、コンタクトレンズ４に向かって上方に伸びる突出部５１を有
している。その突出部５１がその上にコンタクトレンズ４があるときその中央部を保持す
る。コンタクトレンズの周縁は、スプリングディスク４６ｅの基部５３´の周囲に位置する。
【００７０】
図６９はスプリングディスク４６ｄを含む使い捨てパッケージ１７０の部材一式を図解している
。この実施例では、スプリングディスク４６ｄは使い捨てパッケージ１７０の基部５０を形成す
るモールドされたポリプロピレン製シート上に配置される。コンタクトレンズ４は、凹面
を上にしてスプリングディスク４６ｄに載せられ、使い捨てパッケージ１７０は、アルミニウム
ホイル製カバー２６により密封される。
【００７１】
好ましくは、コンタクトレンズ４の凹面がスプリングディスク４６ｄの上に載せられる。しかし
ながら、図８７、図８８に示される別の実施例ではコンタクトレンズ４の凸面が弾性ディ
スク４６ｅに載っている。この実施例では、封をされた使い捨てパッケージ１９１は、レ
ンズ４とスプリングディスク４６ｅを平らな状態に保持し、開封されると、どちらも平衡状態に
戻る。
【００７２】
他の実施例が図８９Ａから図８９Ｅに示されており、その中で、スプリングディスク４６ｅを用
いて可能とされる装着手段が図解される。半軟質のポリプロピレン製スプリングディスク４６ｅ
は、コンタクトレンズ４を装着者の目に直ちに装着できる向きに常に配置する。図では、
スプリングディスク４６ｅは、人差し指の先端に載せられる。次に指がスプリングディスク４６ｅの中央を
押し通し、コンタクトレンズ４の凸面に接触する。スプリングディスク４６ｅが指の付け根に下
り、コンタクトレンズ４が人差し指先端に載るまで、指によるスプリングディスク４６ｅの中央を貫
通する移動をつづける。そこで、コンタクトレンズ４は装着者の眼に容易に装着される位
置にくる。故に、コンタクトレンズ４の装着に、手の接触は最低限となり、コンタクトレ
ンズ４及び眼を汚染するリスクを軽減する。
【００７３】
他の実施例では、使い捨てパッケージの作成手段が提供される。この実施例では、弾性デ
ィスク４６はコンタクトレンズ４の頂部に位置される。次に、スプリングディスク４６とコンタ
クトレンズ４に必要最低量の水和媒体が添加され、続いてシート材料１４がスプリングディスク
４６とコンタクトレンズ４の上方に、そしてシート材料１５がそれらの下方に配置される
。これらシート材料１４、１５はその後、密封される。別の手段では、スプリングディスク４６
及びコンタクトレンズ４は水和媒体を添加される前に逆さにされ、スプリングディスク４６より
先にコンタクトレンズ４に水和媒体が接触することとなる。密封された使い捨てパッケー
ジが開封されると、スプリングディスク４６が持ち上がり、その上のコンタクトレンズ４が持ち
上がる。しかしながら、平衡状態のコンタクトレンズ４は平衡状態のスプリングディスク４６の
より高い位置に置かれることとなる。
【００７４】
本発明に基づく使い捨てパッケージの好ましい実施例は、密封式の封、典型的にはパッケ
ージの周縁方向に向かう密封式の封、を有する。図６及び図７の様に、パッケージがのこ
ぎり状の刻みを施された場合、２枚のシートの柔軟性は異なるものとでき、封の強度は周
縁において多様とされ得る。そのことは、最もコンタクトレンズを容易に取り外す方法で
パッケージを開封できるようにする。更に、スプリングディスクを有したパッケージは、規定の
仕方で開封されるよう内部に封を有している、それ故、コンタクトレンズは常に一定の向
きで現わされる。例えば、図６８の使い捨てパッケージ１６９では周まわりに封を有しう
る。また、好ましくはディスク４６ｃの縁は、封により第２のシート１５付着され、その
封はディスク４６ｃと第１のシート１４の間の封より堅固とされる。シート１４及び１５
が把持され引き離されると、周を密封した封がまず開封され、次に第１のシート１４がデ
ィスク４６ｃからはがれ、ディスク４６ｃが第２のシート１５に付着された状態で残る。
そして、パッケージが開封された時、スプリングディスクの弾性部分の中央は常にその上のレン
ズ４と共に持ち上がるようになっている。（もちろん、レンズの向きとスプリングディスクの跳
ね返る方向が、パッケージが連接される時、現パッケージから次のパッケージで一定して
いることを前提とする。）密封式封の形は、使用者が最初に第１と第２のシートを剥離す
るのに使われるパッケージの部分に向かう先端を有しうる。そのためシート開封の手順は
、この先端から始まり、開封に要する力は、この先端における密封式封の開封に注がれる
力が全てとなる。シートの内部層とディスクの構成は、一般に知られている熱処理により
互いに溶接される方法を選ぶことが好ましい。ディスクは平坦でない面を有して形成され
、封がなされる方法とその堅固さに影響を及ぼす、そして、第１のシート１４が、最初に
開封されるであろうパッケージの部分近くのディスク面から容易に剥離されるように、そ
してディスク後部にシート１４をより堅固に接合するように、パッケージ内のディスクは
配置される。これは、パッケージを適した停止点まで、つまりレンズがパッケージから取
り外されるよう現されるところまで、開封するのを容易とする。
【００７５】
スプリングディスクのある使い捨てパッケージ及び無い使い捨てパッケージは、様々な形態を取
り得る。図９０は、切り欠き４０を有する楕円形の使い捨てパッケージ１７１を示してい
る、その切り欠きはコンタクトレンズ４を取り出すのに、使用者が使い捨てパッケージ１
７１からカバー２６の端部を断裂するのを助成する。図９１は、図９０の使い捨てパッケ
ージ１７１からカバー２６が取り除かれた図であり、スプリングディスク４６ｅとコンタクトレ
ンズ４が見えるようにされている。切り欠き４０を有した角に丸みのある長方形のバリエ
ーションが図９２に示される。
【００７６】
ヒンジ式カバー２６を有する楕円形の使い捨てパッケージ１９２が図９３及び図９３Ａに
示される。この実施例におけるカバー２６は、完全に取り除かれることなく剥離されるよ
うに周まわりで密封される。言い換えれば、カバーはコンタクトレンズ４を現すのに充分
なだけ剥離され、ヒンジ部５２で使い捨てパッケージ１９２との接合を残す。こうして、
シールが開かれるとカバー２６はドアのように後方に向きを変え、使い捨てパッケージ１
９２の収容物の取り出しを可能とする。
【００７７】
非対称涙形の使い捨てパッケージ１７３が、図９４、図９５に示される。この実施例では
、２箇所の破断用切り欠き４０が幅の狭い側の端部に設けられ、中のコンタクトレンズ４
を出すのに使用者が使い捨てパッケージを開封できるようにしている。この形状は、ディ
スク５４上に、２つの使い捨てパッケージ１７３を相互にはめ込みコンパクトに収納する
事を可能にし、旅行中の消費者にとって理想的な選択肢となる。
【００７８】
小袋タイプの使い捨てパッケージが図９６から図１００に示される。図９６では、破断用
切り欠き４０を有した典型的な正方形の使い捨てパッケージ１６９が見て取れる。より進
化した切り取り端部５３を有する角に丸みのある正方形の使い捨てパッケージが図９７に
示される。この実施例では、切取り端部５３は２箇所の中部分５５のためより目に付きや
すくなっている、そこでは、ホイルが切取り端部５３と使い捨てパッケージ１９３の本体
の間で切り取られている。図９８に示される様態では、周縁から中央に向けの伸びる切り
欠き４０が設けられており、それにより切取端部５３を目視し易くしている。
【００７９】
図９９は、一端に指形切取り端部５３を有した角に丸みを持った正方形の使い捨てパッケ
ージ１７５を示す。この切取り端部５３は使い捨てパッケージ１７５を破断開封するため
の手段であると同時に、図１００に示されるように２つの同じ使い捨てパッケージ１７５
を接合する手段でもある。２つの使い捨てパッケージの指形切取り端部５３は相互に組み
合わされ、２つの使い捨てパッケージ１７５を繋げて保持する。
【００８０】
他の実施例では、二重曲線形の使い捨てパッケージ１７６が提示される（図１０１）。こ
の実施例において、例えばアルミニウムホイルの様な上側のシート１４は、底側のポリプ
ロピレンシート１５にひだ無しに結合される。上側シート１４は、中のコンタクトレンズ
４を出すのに後ろに引かれ得る。二重曲線という形状は、図１０２に示されるように、複
数の使い捨てパッケージ１７６をコンパクトに積重することを可能にする。
【００８１】
図１０３については、使い捨てパッケージ１７７はモールドされたポリプロピレン製基部
５０と透明なポリプロピレン製プルトップタイプカバー５８を有している。この実施例で
は、プルトップタイプカバー５８は一端を剥離の起点とする、その一端は、プルトップタ
イプカバー５８の一部であり、そこは基部５０に付着されておらず、また容易に把持され
る。プルトップタイプカバー５８が取り除かれると中のコンタクトレンズ４が現される。
【００８２】
図１０３のプルトップタイプカバー５８のバリエーションが、図１０４及び図１０５に示
される。この実施例では、プルトップカバー５８の剥離に助力する一段高くなっている取
っ手５６が設けられる。図示のように、プルトップタイプカバー５８が剥離されると、基
部５０が曲げられコンタクトレンズ４の取出しが可能となる。取っ手５６は、高齢者のよ
うな指の力の弱い使用者に容易な開封を提供するのに設けられるが、その取っ手５６を把
持し易くする為と使い捨てパッケージ１７８の開封をより容易にする為に、鍵形の先端や
他の工夫を使用できる。
【００８３】
他の実施例で、基部５０の一部がカバー２６と共に後部に折り曲げられる。図１０６、図
１０７では、細長い半楕円形の使い捨てパッケージ１７９が、コンタクトレンズ４とアル
ミニウム製カバーシート２６と共に示される。基部５０は、内部の細長い半楕円形部分で
あり、垂直なエッジ２５５を除いては外周部２５１に接触していない。使い捨てパッケー
ジ１７９を開封するのに、外周部２５１とアルミニウム製カバー２６の両方が後方に剥離
されるので、その中のコンタクトレンズ４の取り出しは容易となる。
【００８４】
図１０８、図１０９の使い捨てパッケージ１８０のバリエーションでは、基部の内側部分
５０に尖鋭な端部６２が設けられており、カバーシート２６の剥離を容易にしている。こ
の実施例に基づく使い捨てパッケージ１８０は、角に丸みのある長方形とされているが、
基部の内側部分５０は尖鋭なアーチ形とされている。それ故、外周部２５１が僅かに下方
へ曲げられると、内側部分のアーチの突端６２はカバーシート６０に入り込み、浮彫りに
沿うように、そのシートは規定の道筋にそって後方に引かれる。このような浮彫り４５は
、容易な開封の為に設けられ、意匠を凝らした切れ目、切取り点線、また半ばまで入った
切れ目とされ得る。
【００８５】
図１１０から図１１３に示される、ポリプロピレン製スプリングディスク４６ｇを有した使い捨
てパッケージ１８１の実施例では、使い捨てパッケージ１８１はつまみ６４を有している
。つまみ６４は、ヒンジ１２７を介してパッケージ本体から折り破断されて使い捨てパッ
ケージ１８１は開封され得る。つまみ６４と本体の間の連接が、つまみを上方向に向けて
折ることで断たれると、保護用のカバー２６は剥離され、コンタクトレンズ４とポリプロ
ピレン製スプリングディスク４６ｇとが現わされる。保護用カバー２６の抑制が取り除かれると
、ポリプロピレン製スプリングディスク４６ｇは、平衡状態に、その上のコンタクトレンズ４同
様にアーチ形の状態に戻る。次にコンタクトレンズ４は、拇指と人差し指に挟まれ取り出され
、装着者の眼に装着され得る。この例では、スプリングディスク４６ｇはポリプロピレン製であ
るが、スプリングディスク４６ｇは、当業者に知られている他の材料、例えば適したポリオレフ
ィンや他の是認された材料などから作成されうる。
【００８６】
別の実施例では、使い捨てパッケージ１８２はレトルトタイプのパッケージである。図１
１４を参照すると、本発明の１つの実施例に基づくレトルトタイプ使い捨てパッケージ１
８２の斜視図が示されている。レトルトタイプ使い捨てパッケージ１８２は、コンタクト
レンズ４を保持する層状の可撓性のある包を有している。その包は、１片若しくは２片の
、類似の若しくは異なる可撓性の材料で形成され得る。１つの実施例によれば、レトルト
タイプ使い捨てパッケージ１８２は、可撓性のある薄板状の材料１片で形成されており、
パッケージに形成される空間内に保持されたレンズを保護するのに充分な丈夫さを持ちな
がら、曲げたり、折畳まれたり、捩じられたり、丸められたり、押し潰されたりなどで、
ただしこれらに限定されないが、及ぼされるさまざまな影響力に耐性をしめす充分な可撓
性を有する。パッケージの壁部は、好ましくは均質な材料で構成される、そしてコンタク
トレンズの形状に適合されることは必ずしも必要とされず、むしろコンタクトレンズがパ
ッケージの中で浮遊するように成されている。このような“浮遊”は、パッケージの閉ざ
された範囲内で流体力により達成される、流体力はコンタクトレンズをパッケージ表面か
ら維持し緩衝物として働く。パッケージ内に空気がほとんど無いか、全く無いので、いか
なる内側で起こる動きも最小とされる。
【００８７】
レトルトタイプの使い捨てパッケージ１８２は、均質な材料それ自体を後ろに折り重ね、
その端部を密封することで滅菌状態の封を成すという方法で形成され得る。また、レトル
トタイプの使い捨てパッケージ１８２は、向き合わされた２枚の均質な材料を、その端部
を熱処理加工で密封することで形成されても良い。レトルトタイプの使い捨てパッケージ
１８２を、所定の熱処理加工密封された１箇所又はそれ以上の端部沿いに分割することで
、中のレンズを取り出すことが出来る。
【００８８】
図１１４では、レトルトタイプの使い捨てパッケージ１８２は、第１及び第２のバリア層
１４、１５を有する、バリア層は、１つの層を折り重ねることで、若しくは２つの個別の
層を合体させる事で形成されうる。バリア層１４、１５は端部６６、６８、７０、７２の
周りを熱処理加工することで密封される。熱処理加工で密封された端部６６から７２は、
レンズ４が収容される内部空間７４を画定する境界になる。レンズ４は、所定の最低量の
保存液４８に浸され、含水状態に保たれる（図１１５）。レンズを取り出したり現すのに
、バリア層１５をバリア層１４から剥離され得。または、バリア層１４をバリア層１５か
ら剥離してもよい。バリア層の剥離を始め易くするのに、層の間の結合の係合の一部は軽
く密封されている、それは、バリア層の剥離を可能とする角になされるのが好ましい。図
１１５は、図１１４のレトルトタイプの使い捨てパッケージ１８２が、レンズを取り出す
のに剥離され開かれた状態を示す。
【００８９】
１つの実施例によると、バリア層１４、１５はレンズパッケージへの制定法上の要件をみ
たせる材料を有する多重層のラミネートである。例えば、典型的なレトルトタイプの使い
捨てパッケージ１８２の材料は、ポリプロピレンなどのようなポリエチレンテレフタレー
ト（ＰＥＴ）層、アルミニウム層、ポリオレフィン層から成り得る。アルミニウムの薄い
層は、固有の柔軟性や酸素透過を抑制する等の特性を有しているので、バリア壁の合成部
材として適している。
【００９０】
所定サイズのレトルトタイプの使い捨てパッケージ１８２は、同じ又は異なった材料のバ
リア層から形成され得る。１つの実施例に関して、レトルトタイプの使い捨てパッケージ
１８２は、レンズを保持する空間を形成するのに１片の材料を後ろに折畳むことで形成さ
れ得る。他の実施例では、向かい合わせに係合された同じ材料２片若しくは異なった材料
の２片は、それらの端部を熱処理加工により密封される。１つの実施例によると、バリア
材料積層の大略は、１０μのＰＥＴ外層、５０μのアルミニウム層、５０μのポリプロピ
レン層とされ得る。
【００９１】
図１１６を参照すると、レトルトタイプの使い捨てパッケージ１８２、７８、８０のスト
リップ４１は、破断の容易な接合部分７６により互いに接合されている。レトルトタ
イプの使い捨てパッケージ１８２は、接合部分７６を切り離すことで一度に１枚ずつ取り
外される。また、そのストリップは、接合部分７６で折畳むこともでき、それは効率のよ
い収納と梱包に役立つ。従って、従来技術のブリスターパック２７でレンズ２枚を収納す
るのに使われたのと同じ大きさの空間に、６枚から８枚、あるいはそれ以上のレンズが収
納できる可能性がある。
【００９２】
図１１７では、図１１６のレトルトタイプの使い捨てパッケージ１８２が連なるストリッ
プが、接合部分７６を介してパッケージ１８２に付着された水和溶液用パック３５を有し
た状態で示されている。水和溶液用パック３５は、レンズへの水分補充が必要とされる場
合に、レンズを水和する目的で消費者に使用されてもよい。
【００９３】
図１１８は、１つの実施例に基づくカートン８４の分解図を示す。カートンは、レトルト
タイプの使い捨てパッケージのストリップ４１を収容する包８２と同じ包を多数収納して
いる。また、その包は複数の個々のレトルトタイプの使い捨てパッケージ１８２を収容し
ても良い。この構成では、従来のパッケージに比べ単位当りの空間に多数レンズを収納で
きることがわかる。梱包密度の程度によるが、以前であればレンズパッケージ２つが収容
されていたであろう空間に１０枚まで、可能性としては１０枚以上のレンズが収容され得
る。
【００９４】
記載されるレトルトタイプの使い捨てパッケージ１８２の形態は、好ましくはそれぞれソ
フトコンタクトレンズ１枚を有する。適当な挿絵や、制定法上の情報が、現在流布してい
るパッケージに類似した様式で外部面に施されてもよい。
【００９５】
このレトルトタイプの使い捨てパッケージ１８２に収容されるレンズの保全性は、それを
囲むパッケージ内の保存溶液の緩衝によって保たれる。レンズパッケージが手荒に扱われ
たり損傷を受けうる取り扱いを受けた場合、保存溶液は安全な緩衝物として作用し得る。
現在流布しているブリスターパックは、かたどられた突出部つまり予備形成された堅いボ
ートを使用することでレンズ保護の遮断物としている。しかしながら従来技術のブリスタ
ーパックはまつまみリスターパックの開口部を塞ぐのにアルミニウムホイルカバーを有し
ている。その裏のないホイルに特別な保護性はなく、ホイルの側において、受ける荷重に
対しより有効に対応する２枚の順応性のあるバリア層を有するレトルトタイプの使い捨て
パッケージに比べ保護性は少ない。実際に、ブリスターパックのアルミニウムの外面は、
ポリプロピレン製ボートにゆるみなく渡されているためより容易に穴が開けられる可能性
がある。レトルトタイプの使い捨てパッケージは、本質的に柔軟であり、穴を開ける原因
となる物体に合わせて動くことで穴が開けられる可能性を逸らす。
【００９６】
レトルトパイプの使い捨てパッケージ１８２では、含水の維持をするのに必要最少量の保
存液でよく、従来技術のパッケージと異なりレンズが保存液に浸ることは必要とされない
。
【００９７】
レトルトタイプの使い捨てパッケージ１８２の本発明に基づく１つの実施例では、製造の
過程で、レンズを含水状態に維持する保存液やジェルを所定の最少量残して、過剰の含水
維持用の流体は排除されうる。レトルトタイプの使い捨てパッケージ１８２における最善
の密封性により内部空間からの蒸発はない。このパッケージバリア層の平坦度は、レンズ
がいずれかの内側面に付着するのを容易にするという利点となる。層が剥離され内部のレ
ンズが現された時レンズが内側面に付着されるので、開封の際にレンズがこぼれ落ちない
ことを確実にする。
【００９８】
使い捨てレンズの製造は、レンズの包装に掛かる費用が低減され、密封の有効性とそれに
伴う滅菌性が向上することでより費用効率は高まる。本発明の包装において、患者はより
レンズを使い捨て用品とみなすようになるであろう。更に、そのレンズの占める空間は、
はるかにいっそう少なくなり、より興味をそそる方法で包装され得る。このタイプの包装
の費用構成は消費者にとっても製造業者にとっても魅力的であるので、このタイプの包装
は、特に１日使い捨てタイプのレンズに適している。
【００９９】
様々な二次包装の８６の形態は、図１１９から図１６４に示される使い捨てパッケージで
実施されうる。その使い捨てパッケージの長所は、様々な二次包装が選択できることであ
る。更に、複数の使い捨てパッケージの包装に必要な空間は従来のブリスターパックに比
べ遥かに少ない。例えば、図１１９と図１２０では使い捨てパッケージ１８７を３０枚収
容する包装が示されている。カバーシート８８、例えば真空形成のＰＥＴなどで密封され
た６つの区画９０それぞれに５枚ずつの使い捨てパッケージ１８７が収容されている。図
１２０に示されるように区画９０はカバーシート８８によって連接される。８６のような
包装２個は、３０日分のコンタクトレンズ（即ち、総数６０枚のレンズ）を供給するよう
結合され得る（図１２１）。この実施例では、３０日分の供給は、僅か２７０×６０×１
２ｍｍの大きさで成される。９０日分のレンズの供給（図１２２）は、僅か２７０×１８
０×１２ｍｍで成され、そして１８０日分の供給の包装（図１２３）は、２７０×２４０
×２０ｍｍとされる。３０日、９０日、１８０日分のパックの寸法は下記のように変更さ
れ得るがそれらに限定されるものではない。３０日分を供給する包装は、３００×６０×
１２ｍｍ、また２５５×６０×１３ｍｍ、又は２５０×６０×１３ｍｍ、若しくは２４５
×６０×１３ｍｍ、また２４０×５５×１３ｍｍと成り得る。９０日分供給のパックは、
３００×１８０×１２ｍｍまた２５５×１８０×１３ｍｍ、又は２５０×１８０×１３ｍ
ｍ、若しくは２４５×１８０×１３ｍｍ、また２４０×１６５×１３ｍｍと成り得る。１
８０日分供給のパックは、３００×２４０×２０ｍｍ、又は２５５×２４０×２０ｍｍ、
２５０×２４０×２０ｍｍ若しくは２４５×２４０×２０ｍｍ、また２４０×２２０×２
０ｍｍと成り得る。
【０１００】
別の実施例の図１２４では、２個の使い捨てコンタクトレンズパッケージ用の二次包装１
２４が図解されている。この実施例では、２個のコンタクトレンズパッケージが、ほぼ名
刺サイズの小形な二次包装に収容される。この実施例は特に旅行の際に有用である。
【０１０１】
図１２５Ａ及び図１２５Ｂに示される別の実施例は、それぞれに１０個の使い捨てパッケ
ージ１８７を収容する３つの区画９０を有する、３０個の使い捨てパッケージ１８７用の
二次包装８６ａである。区画９０は１枚のカバーシート８８により互いに連結されている
。その包装８６ａは極めて小形でありその寸法は１３０×６０×１１ｍｍである。
【０１０２】
図１２６から図１３３及び図１３５と図１３６に示されるように、１つの実施例は、複数
の使い捨てパッケージ１６３を有する手提げ容器且つ旅行用パック９１である。その中の
使い捨てパッケージは、独立した使い捨てパッケージでもジグザグ形に折畳まれた使い捨
てパッケージのストリップでもよい。旅行用パック９１は、透明な若しくは不透明な（図
１３１）材料で作られる。旅行用パックは解除ボタン９３を押すと蓋８９がくるりと返る
ことで開かれ得る。旅行用パックは内側に鏡９４を有してもよく、それにより使用者は旅
行中の如何なる場所や如何なる時にもコンタクトレンズを装着することが出来るようにな
る。更に、例えば旅行用パック９１が目の高さになるように、または安全な場所に仕舞う
のにフックに掛ける（図１３０）など、旅行パックを吊るす手段として旅行パック９１に
取っ手９２が備えられている。使い捨てパッケージ１６３は、図１２９に示されるように
、スライドガイド９６が使い捨てパッケージ１６３の滑り落ちを防止することで旅行パッ
ク９１内に保持される。旅行パック９１ａの別の実施例では、使い捨てパッケージ１６３
は図１３２に示されるように仕切り９８内に保持される、仕切りには随意でＬ（左）・Ｒ
（右）の印１００が表示されてもよい。
【０１０３】
別の実施例では図１３３から図１３５に示されるように、二次包装は９０日分の使い捨て
パッケージ１６３を供給する。図１３３と図１３４は９０日分容器の正面図、図１３５と
図１３７は側面図である。９０日分容器１０４は、積み重ねられた使い捨てパッケージ１
６３（独立したものかジグザグ形に折畳まれたストリップのどちらでもよい）と、上述の
旅行用パック９１（図１３３）を随意で取付け可能なカバー１０２とを有している。図１
３３と図１３５で示されるように、旅行用パック９１は９０日分容器１０４のカバー１０
２に滑り嵌めし得る。更に、９０日分容器が空になった際、容器１０４はサングラスケー
スとして使うこともできる（図１３６）。旅行用パック９１をカバー１０２に取付けても
よく、そうすると旅行用パック９１とサングラスケース１０４の組合せが供給される。
【０１０４】
図１３７は、取出し可能なインサート１０８を有する９０日分容器１０４を図解している
。カバー１０２を外した後、インサート１０８は、備え付けの取っ手１０９により９０日
分容器１０４から引き上げられ得る。図１３７Ａに示されるように、例えば使用者が使い
捨てコンタクトレンズパッケージ１６３を取り外す際などの、使用者が取っ手１０８を放
す時に、滑り止めのゴム製ストッパー１１０は、インサート１０８が９０日分容器に滑り
落ちるのを防止する。図１３８の実施例では、つまみ１１２ａ〜１１２ｑが使い捨てパッ
ケージ１６３の積重の間に一定の間隔を置いて備えられており、使用者に供給されるレン
ズが減っていくことを気付かせる。例えば、つまみ１１２ａ（図１３８Ａ）は、９０日分
容器にコンタクトレンズの残量が僅か３０枚であることを知らせ得る。処方上の情報と同
様に再注文の為の情報がつまみ１１２ｂ（図１３８Ｂ）には含まれており、使用者が追加
のコンタクトレンズを購入するのを促す。また、つまみ１１２はコンタクトレンズの残量
が僅か１０日分であることを知らせ得る。レンズの残量が１０日分と３０日分という例を
用いたが、つまみ１１２ａ〜１１２ｑはコンタクトレンズ使用者に有用であればどの間隔
で配置されてもよい。
【０１０５】
図１３９に示される別の実施例では、使い捨てパッケージ１５６用の二次包装容器１１３
は、高さの低い長方形の容器や箱である。二次包装容器１１３の高さは、その中の使い捨
てパッケージ１５６が薄く嵩張らずに積重される為、然程高い必要はない。集積された場
合にも、容器１１３は、最小限の空間で複数の使い捨てパッケージ１５６を確実に収容す
る。また、二次容器１１３は、正方形、円形、楕円形やその他の複数の使い捨てパッケー
ジ１５６の収容に適当な形とされてもよい。
【０１０６】
図１４０から図１４３に示される他の実施例では、使い捨てパッケージはホルダーシート
１１４に取付けられ、その後、二次包装容器に収容される。複数の使い捨てパッケージ１
８７が１枚のホルダーシート１１４に取付けられてもよく、同じホルダーシート上の使い
捨てパッケージ１８７は全て単一の処方のレンズを収容する。使い捨てパッケージ１８７
は、図１４０、図１４１に示されるように、円形の配置で取付けられてもよい。また、図
１４２、図１４３のように使い捨てパッケージ１８７は、平行した列に配置されてもよい
。製造、処方、規制や使用法など裏面１１６に随意で載せられ得る情報に加えて、ホルダ
ーシートの表面１１５には随意で様々な挿絵が載せられてもよい。
【０１０７】
別の実施例では、図１４４から図１４８に示されるように、使い捨てパッケージ１８３は
ブリスタータイプのパッケージであり、積重され円形の二次包装に円形の配置で収容され
得る。ブリスタータイプの使い捨てパッケージ１８３は適切にモールドされたプラスチッ
ク材料から成る。各ブリスタータイプの使い捨てパッケージは高さが薄く、その中のコン
タクトレンズは平衡状態のコンタクトレンズ周縁部に対する湾曲外表面の高さより平らな
状態で保持される。積重の際、ブリスタータイプの使い捨てパッケージはコンパクトに積
重され占める空間は最小限となる。積重された使い捨てパッケージは、使い捨てパッケー
ジの取り出しを容易にする開口した中央部１２０を有する二次包装容器の基部１１８に円
形に配置され得る。この配置では、使用者にとって中央部開口１２０に指を掛け円形の二
次包装容器１１８より１つまたは複数の使い捨てパッケージ１８３を取出すことは容易で
ある。円形の二次包装は、確実に使い捨てパッケージ１８３をその中に収容するため基部
１１８及び蓋１２２を有している。
【０１０８】
円形の二次包装１１８は、３０日分または９０日分のコンタクトレンズを収容し得る。あ
るいは（図１４９）、円形の二次包装１１８は、３０日から９０日の間分のコンタクトレ
ンズかまたは、９０日から１８０日の間分のコンタクトレンズを収容し得る。
【０１０９】
別の実施例では、図１５０に示されるように、使い捨てパッケージ１８４は１つ以上の切
欠きを有する角にまるみのある非対称な三角形である。この特殊な使い捨てパッケージ１
８４は、図１５１に示されるように６つ以上が一対とされ円形の配置で円板２２３に収容
され小さなつまみ１２６により保持され得る。
【０１１０】
図１５２から図１５４に示される他の実施例では、使い捨てパッケージ１８５は、ギター
ピックの形に似た角に丸みのある三角形である。使い捨てパッケージ１８５は留め具１２
８によって円形の二次包装ホルダーシート１２４上に保持されている。従って、個々の使
い捨てパケージ１８５は、シート１２４から滑らせることで容易に取り出され得る。複数
の使い捨てパッケージホルダーシート１２４は、収納ケース１２３に収容され得る、収納
ケースは１０個以上の使い捨てパッケージホルダーシート１２４を保持する。更に好まし
くは、収納ケース１２３は２０個、３０個またはそれ以上の使い捨てパッケージホルダー
シート１２４を保持できる。複数の使い捨てパッケージホルダーシート１２４を有する収
納ケース１２３は、シート１２４の長穴１３０に組み合う細幅に開口するガイド１３１を
有する。収納ケース１２３の蓋１２２もまた長穴１３３を有している。この長穴の溝１３
０は、収納ケースの中央から周縁部に伸びているが、外周線上にまでは達していない。収
納ケース１２３の蓋１２２は、収納ケース１２３を差渡した蝶着部分１３２を有しており
、この蝶着部分は外周から中央に向けて持ち上げられる。また、スタンド１３６（図１５
４）を備え、使い捨てパッケージホルダーシート１２４を有する収容ケース１２３が複数
収容され得る。図示のように、スタンド１３６は、中央の延長部１３４を有する基部で、
その延長部分は使い捨てパッケージホルダーシート１２４の長穴１３０と収納ケース１２
３の開口ガイド１３１に差し入れられるようになっている。使い捨てパッケージホルダー
シート１２４を有する１つ以上の収容ケース１２３がスタンド１３６に置かれた場合に、
収容ケース１２３はガイド１３１の長さ沿いに水平にスライドされ得る。従って、図示の
ように、他の同種な収納ケース１２３の下に位置する収納ケース１２３は、スタンド１３
６から取り外されなくとも引き出され得る。収納ケース１２３の収容物を取り出すことは
、蓋１２２の蝶着部分１３２を開くことで容易に成され、その後収納ケース１２３はもと
の状態に戻され得る。右目用と左目用両方のコンタクトレンズが同じスタンド１３６に収
容されてもよい。例えば、左目用のコンタクトレンズを下側の収容ケースに収納し、右目
用のコンタクトレンズを上側の収容ケースに収納できる。また、右目用と左目用のコンタ
クトレンズが交互になるように収納ケースを積んでもよい。１つの実施例では、現在使用
中の収容ケースをスタンド１３６に積まれて収納される収容ケースの一番上にすることが
好ましい。それは、各ホルダーシート１２４が空になったとき、そのシート１２４を収納
ケース１２３から取り除き、複数の使い捨てパッケージ１８５を有する次のホルダーシー
ト１２４を利用するのに、収容ケース１２３がスタンド１３６から取り外されなければな
らないからである。別の実施例では、ホルダーシート１２４の長穴１３０はシート１２４
の外周線上まで伸びていてもよく、それによってスタンド１３６から収納ケース１２３を
取り外す必要なく収納ケース１２３からシート１２４を取り出すことができる。
【０１１１】
他の実施例では、円形の使い捨てパッケージ１８６はアイマスク様の形状をした二次包装
１４５に保持される。複数の使い捨てパッケージは包装１４５のそれぞれの区画１４１、
１４３に保持され得る。図１５５に示されるこの実施例の使い捨てパッケージ１８６は、
半円形の窪み１４０を有する。この窪み１４０は使用者が使い捨てパッケージ１８６を掴
む場所とされ、使い捨てパッケージは二次包装１４５から取り外される。アイマスクの形
状の包装１４５は、透明もしくは不透明とされ得、左・右の印を表示してもよい。
【０１１２】
図１５６、図１５７は、その上に２つ使い捨てパッケージ１８５を有する別の実施例のカ
ード１４２示している。使い捨てパッケージ１８５は留め具１２８により使い捨てパッケ
ージ収容カード１４２上に固定される。この実例では、カード１４２は角に丸みをもった
三角形の使い捨てパッケージ１８５が２つを保持する。しかしながら、使い捨てパッケー
ジ１８５の形状及びその数量は変更することが出来る。この例の使い捨てパッケージは使
い捨てパッケージ収容カードに留め具を介して取り付けられているが、また例えば接着剤
や使い捨てパッケージの角を差し込む差込用の溝のような他の形態によって取り付けられ
てもよい。
【０１１３】
好都合なことに、２つの使い捨てパッケージ１８５を留めつけられたカード１４２は、１
枚の左目用使い捨てレンズと１枚の右目用使い捨てレンズを保持し得る。従って、カード
１４２がほぼ名刺の大きさであるため、１日分のレンズを小さなバッグや札入れやポケッ
トに入れて容易にかさばらずに持ち運ぶ事が出来る。随意で、２つの使い捨てパッケージ
を収容したカード１４２複数は、使用者への配達用の容器に収められてもよい。その容器
は、１０日分、２０日分、３０日分、９０日分、１８０日分のレンズを収容し得る。
【０１１４】
図１５８、図１５９は、使い捨てパッケージ１８７に実施可能な、図１４６の二次包装の
バリエーションを図解している。使い捨てパッケージ１８７の変化形は最小限の空間を要
する形態に嵩張らずに収容される。図１５８では、６つの使い捨てパッケージ１８７が、
円形のホルダーシート２４８に取り付けられている。図１５９では、６つの使い捨てパッ
ケージ１８７が長方形のホルダーシート２４９に取り付けられている。ホルダーシート２
４８と２４９はどちらも、図１４６の開口１２０のような中央開口部を有しており、使用
者が１つのパッケージ１８７をホルダーシートから取り外せるようにしている。
【０１１５】
図１６０を参照すると、二次包装容器２５０は複数の円形の使い捨てパッケージ１８８を
備える。円形の使い捨てパッケージには、外周が内方向に縮められた部分があり開口１４
６が形成されており、留め具１４７にはめ込ませるようにでき使い捨てパッケージを定位
置に保持できる。図１６１の収納スタンド１４４は、基部とその基部にほぼ直角とされる
壁状部を有している。複数の円形の使い捨てパッケージは、図１６０の二次包装容器２５
０から移動されて、９０日分のコンタクトレンズの収納用にスタンド１４４に留めつけら
れたり嵌め込まれたり出来る。使い捨てパッケージ１８８は必要に応じてスタンド１４４
から取り外され得る。図示のようにこの実施例では、スタンド１４４は使い捨てパッケー
ジ１８８の積重ね２つを有する。そのために、１つの積重ねには左目用に処方されたコン
タクトレンズを収納した使い捨てパッケージ１８８を、もう１つの積重ねには右目用のコ
ンタクトレンズを収納した使い捨てパッケージを収容することが出来る。スタンドは、再
利用しても使い捨てとしてもよく、９０日分より少ない又は多いレンズを収容し得る。
【０１１６】
図１６２は、配送用容器である。複数の使い捨てパッケージ１９０は、実際には上述した
パッケージの実施例のどれでもが、出荷のために包１４８に収容され得る。包１４８は、
クッションとなる窒素ガスで満たされ密封されたアルミニウムコーティングの袋であるこ
とが好ましい。パッケージ１９０はシートに付着されても、またはパッケージそのものが
パッケージより大きな二次包装シート１２４上のミシン目を入れられた一部分とされても
よい。
【０１１７】
図１６３、図１６４には、使い捨てパッケージのディスペンサーが図示される。ディスペ
ンサー１５０は両端が開き、使い捨てパッケージ１８９が取り出される。例えば、一方の
端からは、左目用のコンタクトレンズを収納する使い捨てパッケージ１８９が取り出され
、反対の端からは、右目用のコンタクトレンズを収納する使い捨てパッケージ１８９が取
り出される。ディスペンサー１５０は、筒状とされ、その中の使い捨てパッケージ１８９
が、蓋１５２が開かれた際、取り出し部１５４に押し出されディスペンサー１５０から滑
り出ることにより取り出しが容易となるような角度をもって積重されている。蓋１５２に
は、左及び右の印や処方情報などが表示されてもよい。このディスペンサー１５０は、補
充しての利用も使い捨ても可能である。
【０１１８】
ここに遍く述べられた本発明は、当業技術者によってその意図や範囲から逸脱することな
しに、様々な変更や改良が成され得る。例えば、ここに考察された材料は高圧滅菌に耐え
うるものであるが、他の滅菌方法が利用される場合には、その他の材料が使用されること
がある。
【図面の簡単な説明】
【０１１９】
【図１】代表的な従来技術の使い捨てブリスターコンタクトレンズパッケージの平面図である。
【図２】中のコンタクトレンズを取り出せるように蓋を剥いだ図１のパッケージの側面図である。
【図３】部分的に開けられた図２のパッケージの斜視図である。
【図４】１つの実施例に基づき２つの同一な従来技術のコンタクトレンズパッケージを積み重ねた状態を示す側面図である。
【図５】図４のように複数のブリスターパックを積み重ね、カートンに収容した斜視図である。
【図６】本発明の第１の実施例に基づく使い捨てパッケージの斜視図であり、開けられ、底部シートに形成されるエンボス加工された凸状湾曲部が示されている。
【図７】本発明の第２の実施例に基づく図６の実施例に類似した使い捨てパッケージの斜視図であるが、エンボス加工された凹状湾曲部は上部シートに形成される。
【図８】図６の使い捨てパッケージの横断面図である。
【図９】図７の使い捨てパッケージの横断面図である。
【図１０】図６〜図９の使い捨てパッケージで使用可能なエンボス加工の一例の抽象的図柄である。
【図１１】図６〜図９の使い捨てパッケージで使用可能なエンボス加工の一例の格子柄である。
【図１２】図６〜図９の使い捨てパッケージで使用可能なエンボス加工の一例でロゴを柄としたものである。
【図１３】２つの異なった透明な素材から成る使い捨てパッケージの斜視図であり、コンタクトレンズを収容する凹部を有するパッケージの開け方を示している。
【図１４】２つの類似した不透明な素材から成る使い捨てパッケージの斜視図であり、コンタクトレンズを収容する凹部を有するパッケージの開け方を示している。
【図１５】本発明の別の実施例に基づく使い捨てパッケージが部分的に開けられ、サポート部材を有することを示す斜視図である。
【図１６】図１５の使い捨てパッケージの分解側面図である。
【図１７】図１５の使い捨てパッケージの分解斜視図である。
【図１８】網目状部分を有する図１５の別の実施例の分解斜視図である。
【図１９】涙形の形状とされた図１５の使い捨てパッケージの平面図である。
【図２０】８の字形の形状とされた図１５の使い捨てパッケージの平面図である。
【図２１】非対称な涙形の形状とされた図１５の使い捨てパッケージの平面図である。
【図２２】本発明の別の実施例に基づく使い捨てパッケージの平面図であり、ホイルのカバーを有するコンタクトレンズ用の第１空間と、キャップの付いた水和媒体用の第２空間を示す。
【図２３】コンタクトレンズを封入するカバーの無い、図２２の使い捨てパッケージの平面図である。
【図２４】ホイルのカバーを有するコンタクトレンズ用の第１空間と、キャップの付いた水和媒体用の第２空間とを有する涙形使い捨てパッケージの平面図である。
【図２５】コンタクトレンズを封入するカバーの無い、図２４の使い捨てパッケージの平面図である。
【図２６】カバーが剥がされていない状態の、図２２の使い捨てパッケージの側面図である。
【図２７】カバーが部分的に剥がされた状態の、図２２の使い捨てパッケージの側面図である。
【図２８】カバーが剥がされているところを示す、図２２の使い捨てパッケージの斜視図である。
【図２９】本発明の別の実施例に基づくカバーのあるコンタクトレンズ用の第１空間と、溝３６のある水和媒体用の第２空間とを有する使い捨てパッケージの平面図である。溝は、使い捨てパッケージから水和媒体用の第２空間が分断されると、水和媒体を排出する用途を持つ。
【図３０】カバーが剥がされた状態の、図２９の使い捨てパッケージの平面図である。
【図３１】カバーが部分的に剥がされているところを示す、図２９の使い捨てパッケージの斜視図である。
【図３２】図２９の使い捨てパッケージの側面図である。
【図３３】カバーが部分的に剥がされた状態の、図２９の使い捨てパッケージの側面図である。
【図３４】図３０の使い捨てパッケージの斜視図であり、第１空間と第２空間が切り離され、水和媒体が排出されているところを示している。
【図３５】本発明の別の実施例に基づく使い捨てパッケージの平面図であり、コンタクトレンズ用の第１空間及び水和媒体用の第２空間を覆うホイルのカバーを有している。
【図３６】コンタクトレンズを封入するカバーの無い、図３５の使い捨てパッケージの平面図である。
【図３７】カバーが第１空間から剥がされた状態の、図３５の使い捨てパッケージの側面図である。
【図３８】カバーが第１空間及び第２空間から剥がされた状態の、図３５の使い捨てパッケージの側面図である。
【図３９】カバーが第２空間から剥がされ始めた状態の、図３５の使い捨てパッケージの側面図である。
【図４０】図３５の使い捨てパッケージの斜視図であり、カバーが第１空間と第２空間のいずれかから剥がされている状態を示す。
【図４１】第１空間と第２空間を有する２つの使い捨てパッケージが、破断の容易な接合部分で連結されている状態の平面図である。
【図４２】カバーの無い状態の、図４１の使い捨てパッケージの平面図である。
【図４３】図４２の使い捨てパッケージの斜視図であり、コンタクトレンズを収容した第１空間からカバーが剥がされている状態を示す。
【図４４】コンタクトレンズを収容し、カバーが剥がされていない状態の、図４２の使い捨てパッケージの側面図である。
【図４５】コンタクトレンズが平衡状態にあり、カバーが剥がされた状態の、図４２使い捨てパッケージの側面図である。
【図４６】従来技術のブリスターパックの側面図であり、その中のコンタクトレンズが折り曲がっている状態を示す。
【図４７】従来技術のブリスターパックの側面図であり、その中のコンタクトレンズが側面に付着した状態を示す。
【図４８】従来技術のブリスターパックの側面図であり、その中のコンタクトレンズが逆さまになった状態を示す。
【図４９Ａ】小袋タイプの使い捨てパッケージの分解斜視図である。
【図４９Ｂ】図４９Aの使い捨てパッケージの横断面図である。
【図５０Ａ】ポリプロピレンとホイル製の使い捨てパッケージの分解斜視図である。
【図５０Ｂ】図５０Aの使い捨てパッケージの横断面図である。
【図５１Ａ】ポリプロピレン製の使い捨てパッケージの分解斜視図である。
【図５１Ｂ】図５１Aの使い捨てパッケージの横断面図である。
【図５２】本発明の別の実施例に基づく使い捨てパッケージの側面図であり、パッケージ内部の深さを示す。
【図５３】コンタクトレンズを載せる島状の隆起を有する使い捨てパッケージの平面図である。
【図５４】図５３の使い捨てパッケージの５４−５４線断面図であり、コンタクトレンズが島状の隆起に載っている状態を示す。
【図５５】図５３の使い捨てパッケージの５５−５５線断面図であり、コンタクトレンズが島状の隆起に載っている状態を示す。
【図５６】つまみ部分に切り抜きがされた、涙形のポリプロピレン製サポート部材の平面図である。
【図５７】サポート部材が不透明な図５６の使い捨てパッケージの横断面図である。
【図５８】図５７に類似の横断面図であるが、カバーが剥離している。
【図５９】図５６のサポート部材を有する使い捨てパッケージの平面図である。
【図６０】図５６のサポート部材を有する使い捨てパッケージ裏面の平面図である。
【図６１】使い捨てパッケージに使用されるポリプロピレン製スプリングディスクの１つの実施例における平面図である。
【図６２】使い捨てパッケージに使用されるポリプロピレン製スプリングディスクの第２の実施例における平面図である。
【図６３】第３の実施例のポリプロピレン製スプリングディスクを有し、コンタクトレンズを収容した使い捨てパッケージの内側を示す平面図である。
【図６４】図６３の使い捨てパッケージの断面図であり、平らな状態とされたポリプロピレン製のスプリングディスクとコンタクトレンズとを示す。
【図６５】易開封の為にホイルの両側に刻設がなされた使い捨てパッケージの正面の平面図である。
【図６６】図６５の使い捨てパッケージの裏面の平面図である。
【図６７】図６３の使い捨てパッケージの断面図であり、パッケージの中でコンタクトレンズとポリプロピレン製スプリングディスクとが平らな形状とされている状態を示す。
【図６８】カバーが剥がされ始め、スプリングディスクとコンタクトレンズとが平衡状態にある、図６３の使い捨てパッケージの断面図である。
【図６９】第４の実施例のスプリングディスクを有する使い捨てパッケージの構造を示す分解斜視図である。
【図７０Ａ】第５実施例のスプリングディスクの平面図である。
【図７０Ｂ】図７０Ａの実施例の側面図であり、スプリングディスクとコンタクトレンズが平らな状態にある様を示す。
【図７０Ｃ】図７０Ａの実施例の側面図であり、スプリングディスクとコンタクトレンズが平衡状態にある様を示す。
【図７１】第６実施例のスプリングディスクの平面図である。
【図７２】第７実施例のスプリングディスクの平面図である。
【図７３】第８実施例のスプリングディスクの平面図である。
【図７４】第９実施例のスプリングディスクの平面図である。
【図７５】第１０実施例のスプリングディスクの平面図である。
【図７６】第１１実施例のスプリングディスクの平面図である。
【図７７】第１２実施例のスプリングディスクの平面図である。
【図７８】第１３実施例のスプリングディスクの平面図である。
【図７９】第１４実施例のスプリングディスクの平面図である。
【図８０】第１５実施例のスプリングディスクの平面図である。
【図８１】第１６実施例のスプリングディスクの平面図である。
【図８２】第１７実施例のスプリングディスクの平面図である。
【図８３】第１８実施例のスプリングディスクの平面図である。
【図８４】第１９実施例のスプリングディスクの平面図である。
【図８５】第２０実施例のスプリングディスクの平面図である。
【図８６】図７０Aの使い捨てパッケージの斜視図であり、スプリングディスクにコンタクトレンズが載っている状態を示す。
【図８７】コンタクトレンズとスプリングディスクが平らな状態で封入された図９０の使い捨てパッケージの断面図である。
【図８８】コンタクトレンズとスプリングディスクとが平衡状態にある、カバーを取り外した図９０の使い捨てパッケージの断面図である。
【図８９Ａ−Ｅ】コンタクトレンズとスプリングディスクを有した使い捨てパッケージの斜視図であり、コンタクトレンズが人差し指先端に載るように人差し指でスプリングディスクを押し分け、そして、コンタクトレンズを目に装着しうるよう人差し指が開いている使い捨てパッケージを貫通している状態を説明する。
【図９０】破断用切込を有した楕円形の使い捨てパッケージの平面図である。
【図９１】スプリングディスクとその中のコンタクトレンズとを示す為、カバーが取り外された図９０の使い捨てパッケージである。
【図９２】破断用切込を有し、二辺に丸みのついた長方形の使い捨てパッケージの平面図である。
【図９３】ヒンジ式剥離タイプのカバーを有した楕円形の使い捨てパッケージの平面図である。
【図９３Ａ】ヒンジ式カバーが開かれた状態を示す、図９３の使い捨てパッケージの斜視図である。
【図９４】非対称涙形で、その幅の狭い側の端部に破断用切り欠きを有した使い捨てパッケージの平面図である。
【図９５】図９４の使い捨てパッケージが２つ一緒に収納されている状態をしめす平面図である。
【図９６】破断用切り欠きを有する角形小袋タイプの使い捨てパッケージの平面図である。
【図９７】切取り端部と、それを目に付き易くする切り離しタブとを有した、角部に丸みのある角形小袋タイプの使い捨てパッケージの平面図である。
【図９８】半月形切取り端部を有する、半分を楕円形、半分を角部に丸みのある角形とした小袋タイプの使い捨てパッケージの実施例の平面図である。
【図９９】指形切取り端部を有し、角部に丸みのある角形をした小袋タイプの使い捨てパッケージの平面図である。
【図１００】２つの図９９の小袋タイプの使い捨てパッケージの平面図であり、互いの指形切取り端部が組み合わさっている状態を示す。
【図１０１】中のコンタクトレンズを見せるためカバーが剥離された、二重曲線形の使い捨てパッケージの斜視図である。
【図１０２】複数重ねられた図１０１の使い捨てパッケージの斜視図である。
【図１０３】成形使い捨てパッケージの斜視図であり、プルトップが剥離され開かれ、中の空間及びコンタクトレンズとが見れる状態を示す。
【図１０４】プルトップタイプの使い捨てパッケージの1つの実施例の斜視図であり、つまみ部の詳細を示す。
【図１０５】図１０４の使い捨てパッケージの斜視図であり、中のコンタクトレンズを見せる為、頂部が引き剥がされ基部が曲げられている状態を示す。
【図１０６】カバーと基部とが持ち上げられた状態の使い捨てパッケージの分解斜視図である。
【図１０７】カバーと基部とが持ち上げられた状態の図１０６の使い捨てパッケージの斜視図である。
【図１０８】頂部カバーを開く為の尖りを有する１つの実施例に基づく使い捨てパッケージの斜視図である。
【図１０９】頂部カバーが開かれた状態の、図１０８の使い捨てパッケージの斜視図である。
【図１１０】ポリプロピレン製スプリングディスクと開封用端部タブとを有した使い捨てパッケージの断面図である。
【図１１１】図１１０の使い捨てパッケージの断面斜視図であり、開封用端部タブが折られている状態を示す。
【図１１２】図１１１の実施例に基づくポリプロピレン製スプリングディスクとその上に載ったコンタクトレンズとの斜視図である。
【図１１３】図１１０の使い捨てパッケージの断面図であり、開封用端部タブが折られホイルカバーが剥離されて、ポリプロピレン製ディスクとコンタクトレンズとが平衡状態に戻った様子を示す。
【図１１４】本発明の１つの実施例に基づくレトルトタイプ使い捨てパッケージの斜視図である。
【図１１５】シートが剥がされコンタクトレンズが見える状態の図１１４のレトルトタイプ使い捨てパッケージの斜視図である。
【図１１６】レトルトタイプ使い捨てパッケージが連ねられたストリップの平面図である。
【図１１７】水和媒体収容容器を有する図１１６のレトルトタイプ使い捨てパッケージが連ねられたストリップの平面図である。
【図１１８】複数のレトルトタイプ使い捨てパッケージを収容した包みと、１つの実施例に基づくレトルトタイプ使い捨てパッケージを収容した包みを多数収納した二次包装との分解斜視図である。
【図１１９】別れた６つの区画にそれぞれ５枚ずつ積重された使い捨てパッケージ収納した二次包装の平面図である。
【図１２０】図１１９の二次包装の断面図である。
【図１２１】図１１９の二次包装が２箱、それぞれの頂部で積重された状態を示す斜視図であり、両眼に対し３０日分の１日使い捨てタイプのコンタクトレンズが収容されていることを示す。
【図１２２】図１１９の二次包装６箱の斜視図であり、両眼に対し９０日分の１日使い捨てタイプのコンタクトレンズが収容されていることを示す。
【図１２３】図１１９の二次包装１２箱の斜視図であり、両眼に対し１８０日分の１日使い捨てタイプのコンタクトレンズが収容されていることを示す。
【図１２４】２つの使い捨てパッケージを有する旅行用パックの平面図である。
【図１２５Ａ】別の実施例に基づく、それぞれに１０枚ずつ積重された使い捨てパッケージを収容した３つの区画を有する二次包装の平面図である。
【図１２５Ｂ】図１２５Aの二次包装の断面図である。
【図１２６】複数の使い捨てパッケージ仕様の透明な旅行用容器の平面図である。
【図１２７】図１２６の旅行用容器の前面立面図である。
【図１２８】図１２６の旅行用容器の側面立面図である。
【図１２９】図１２６の旅行用容器の平面図であり、複数の使い捨てパッケージとそれらパッケージの滑り落ち防止用のスライドガイドと鏡とを有する内部の様子を示している。
【図１３０】図１２９の開かれた状態の旅行用容器の側面立面図であり、フックに旅行用容器を吊るす方法を示している。
【図１３１】不透明な素材から成る点を除いて、図１２６に類似の旅行用容器の平面図である。
【図１３２】別の実施例に基づく図１２９の旅行用容器の平面図であり、左側に“L”右側に“R”としるされた使い捨てパッケージの滑り落ち防止用の固着ガイドを有している。
【図１３３】両眼に対し９０日分となるコンタクトレンズ用使い捨てパッケージを収納可能な容器と、そのパッケージに取り付けられた旅行用容器との正面図である。
【図１３４】旅行用容器が取り付けられていない図１３３の９０日分容器の正面図である。
【図１３５】図１３３の９０日分容器の側面の側面立体図であり、旅行用容器が９０日分容器のカバーに滑り嵌められうる事を示している。
【図１３６】図１３３の旅行用容器を取り付けられた９０日分容器の側面立体図であり、全ての使い捨てパッケージが取り除かれた場合に、９０日分容器がサングラスケースとして使用可能であることを示している。
【図１３７】図１３４の９０日分容器の側面立体図であり、９０日分容器のカバーを外すと、差し入れられている使い捨てパッケージを取っ手の使用で引き上げ、引き出しうる事を示している。
【図１３７Ａ】差し入れられている使い捨てパッケージが９０日分容器の中に滑り落ちることを防止するためのゴム製ストッパーの分解斜視図である。
【図１３８】９０日分容器の背面の側面立面図であり、つまみと引き上げ出されている使い捨てパッケージの連ねられたストリップを示している。
【図１３８Ａ】９０日分容器で、コンタクトレンズの残数が僅か３０枚となった事と、処方と再注文の為の情報とが示されたつまみの平面図である。
【図１３８Ｂ】９０日分容器で、コンタクトレンズの残数が僅か１０枚となった事と、処方と再注文の為の情報とが示されたつまみの平面図である。
【図１３９】複数の使い捨てパッケージを収容した二次包装の斜視図である。
【図１４０】複数の使い捨てパッケージが環状に配置されるホルダーシート正面の平面図である。
【図１４１】図１４０のシート状ホルダー背面の平面図である。
【図１４２】複数の使い捨てパッケージが平行した２列に配置されるホルダーシート正面の平面図である。
【図１４３】図１４２のホルダーシート背面の平面図である。
【図１４４】本発明の別の実施例に基づく、ブリスタータイプ使い捨てパッケージの平面図である。
【図１４５】積重した図１４４のブリスタータイプ使い捨てパッケージの側面立面図である。
【図１４６】図１４４のブリスタータイプ使い捨てパッケージを複数、環状に配置する二次包装の平面図である。
【図１４７】蓋付の図１４６の二次包装の分解斜視図である。
【図１４８】３０日分のコンタクトレンズを収容した図１４７の二次包装の断面図である。
【図１４９】９０日分のコンタクトレンズを収容した図１４７の類似の別の実施例に基づく二次包装の断面図である。
【図１５０】本発明の別の実施例に基づく、角に丸みのある非対称な三角形をした使い捨てパッケージの平面図である。
【図１５１】環状に配置された図１５０の使い捨てパッケージ６個の組合せの平面図である。
【図１５２】ドーナツ形の使い捨てパッケージホルダーシートの平面図である。
【図１５３】円筒形の収納ケースに配置された複数のホルダーシートの分解斜視図である。
【図１５４】図１５３の収納ケースを複数収容するスタンドの斜視図である。
【図１５５】別の実施例に基づく二次包装の斜視図であり、アイマスクの形状と、本発明の使い捨てパッケージを複数収容した状態とを示す。
【図１５６】携帯至便な、シートに留めつけられた２つの使い捨てパッケージの平面図である。
【図１５７】角に丸みのある三角形をした、本発明に基づく別の使い捨てパッケージの平面図である。
【図１５８】本発明の別の実施例の平面図であり、３０日分の楕円形使い捨てパッケージが二次包装に環状に配置され収容された状態を示す。
【図１５９】本発明の別の実施例の平面図であり、３０日分の楕円形使い捨てパッケージが長方形の二次包装に平行の２列に配置され収容された状態を示す。
【図１６０】複数の使い捨てパッケージを配送する為の二次包装ボックスの斜視図である。
【図１６１】円形の使い捨てパッケージを９０日分収容するスタンドの斜視図である。
【図１６２】本発明の１つの実施例に基づく配送用容器の斜視図であり、複数の使い捨てパッケージを収容したアルミニウム塗被の包みから成る。
【図１６３】本発明の１つの実施例に基づく、使い捨てパッケージのディスペンサーの斜視図である。
【図１６４】図１６３の使い捨てパッケージディスペンサーの斜視図であり、一端が開かれ、使い捨てパッケージが取り出された状態を示す。
【符号の説明】
【０１２０】
１              ブリスターコンタクトレンズパッケージ
２              ブリスターパック部
３              薄膜
４              コンタクトレンズ
５              凹部
６              フランジ
７              保存液
１０            コンタクトレンズパッケージ
１１            コンタクトレンズパッケージ
１２            ブリスターパック
１３            カートン
１４            シート材料
１４ａ          上側シート
１５            シート材料
１６            エンボス加工
１６ａ          エンボス加工面
１８            使い捨てパッケージ
１９ａ          湾曲部
２０            サポート部材
２０ａ          サポート部材
２１            取っ手
２２            網目状材料
２４            切り抜き
２６            カバー
２７            ブリスターパック
３０            キャップ
３１            連接部
３２            第２空間
３４            第１空間
３５            保存液用パック
４０            破断用切り欠き
４１            ストリップ
４２            突出部
４３            凹部
４４            浮彫り
４５            浮彫り
４６            スプリングディスク
４６ａ−ｔ      スプリングディスク
４７            カバー材料
４８            保存液
５０            基部
５１            突出部
５２            ヒンジ部
５３            切り取り端部
５３´            基部
５５            中部分
５６            取っ手
５８            プルトップタイプカバー
６０            カバーシート
６２            端部
６４            タブ
６６            端部
６８            端部
７０            端部
７２            端部
７４            内部空間
７６            連接部
７８            使い捨てパッケージ
８０            使い捨てパッケージ
８２            包
８４            カートン
８６            二次包装
８６ａ          二次包装
８８            カバーシート
８９            蓋
９０            区画
９１            旅行用パック
９１ａ          旅行用パック
９２            取っ手
９３            解除ボタン
９４            鏡
９６            スライドガイド
９８            仕切り
１００          印
１０２          カバー
１０４          容器
１０８          インサート
１０９          取っ手
１１０          ゴム製ストッパー
１１２ａ−ｑ    タブ
１１３          二次包装
１１４          ホルダーシート
１１５          表面
１１６          裏面
１１８          使い捨てパッケージ
１２０          中央部開口
１２２          蓋
１２３          収納ケース
１２４          二次包装
１２６          タブ
１２７          ヒンジ
１２８          留め具
１３０          長穴
１３１          開口ガイド
１３２          蝶着部分
１３３          長穴の溝
１３６          スタンド
１４０          窪み
１４１          区画
１４２          カード
１４３          区画
１４４          スタンド
１４５          包装
１４６          開口
１４７          留め具
１４８          包
１５０          分配用容器
１５２          蓋
１５４          取り出し部
１５６          使い捨てパッケージ
１６０          使い捨てパッケージ
１６１          使い捨てパッケージ
１６２          使い捨てパッケージ
１６３          使い捨てパッケージ
１６４          使い捨てパッケージ
１６５          小袋タイプ使い捨てパッケージ
１６８          コンタクトレンズ
１６９          使い捨てパッケージ
１７０          使い捨てパッケージ
１７１          使い捨てパッケージ
１７３          使い捨てパッケージ
１７５          使い捨てパッケージ
１７６          使い捨てパッケージ
１７７          使い捨てパッケージ
１７８          使い捨てパッケージ
１８０          使い捨てパッケージ
１８１          使い捨てパッケージ
１８２          使い捨てパッケージ
１８３          使い捨てパッケージ
１８４          使い捨てパッケージ
１８５          使い捨てパッケージ
１８６          使い捨てパッケージ
１８７          使い捨てパッケージ
１８８          使い捨てパッケージ
１８９          使い捨てパッケージ
１９２          使い捨てパッケージ
１９３          使い捨てパッケージ
２２３          円板
２４８          ホルダーシート
２４９          ホルダーシート
２５０          二次包装容器
２５１          外周部
２５５          垂直エッジ
【図１】
2005231740.tif 000003
【図２】
2005231740.tif 000004
【図３】
2005231740.tif 000005
【図４】
2005231740.tif 000006
【図５】
2005231740.tif 000007
【図６】
2005231740.tif 000008
【図７】
2005231740.tif 000009
【図８】
2005231740.tif 000010
【図９】
2005231740.tif 000011
【図１０】
2005231740.tif 000012
【図１１】
2005231740.tif 000013
【図１２】
2005231740.tif 000014
【図１３】
2005231740.tif 000015
【図１４】
2005231740.tif 000016
【図１５】
2005231740.tif 000017
【図１６】
2005231740.tif 000018
【図１７】
2005231740.tif 000019
【図１８】
2005231740.tif 000020
【図１９】
2005231740.tif 000021
【図２０】
2005231740.tif 000022
【図２１】
2005231740.tif 000023
【図２２】
2005231740.tif 000024
【図２３】
2005231740.tif 000025
【図２４】
2005231740.tif 000026
【図２５】
2005231740.tif 000027
【図２６】
2005231740.tif 000028
【図２７】
2005231740.tif 000029
【図２８】
2005231740.tif 000030
【図２９】
2005231740.tif 000031
【図３０】
2005231740.tif 000032
【図３１】
2005231740.tif 000033
【図３２】
2005231740.tif 000034
【図３３】
2005231740.tif 000035
【図３４】
2005231740.tif 000036
【図３５】
2005231740.tif 000037
【図３６】
2005231740.tif 000038
【図３７】
2005231740.tif 000039
【図３８】
2005231740.tif 000040
【図３９】
2005231740.tif 000041
【図４０】
2005231740.tif 000042
【図４１】
2005231740.tif 000043
【図４２】
2005231740.tif 000044
【図４３】
2005231740.tif 000045
【図４４】
2005231740.tif 000046
【図４５】
2005231740.tif 000047
【図４６】
2005231740.tif 000048
【図４７】
2005231740.tif 000049
【図４８】
2005231740.tif 000050
【図４９Ａ】
2005231740.tif 000051
【図４９Ｂ】
2005231740.tif 000052
【図５０Ａ】
2005231740.tif 000053
【図５０Ｂ】
2005231740.tif 000054
【図５１Ａ】
2005231740.tif 000055
【図５１Ｂ】
2005231740.tif 000056
【図５２】
2005231740.tif 000057
【図５３】
2005231740.tif 000058
【図５４】
2005231740.tif 000059
【図５５】
2005231740.tif 000060
【図５６】
2005231740.tif 000061
【図５７】
2005231740.tif 000062
【図５８】
2005231740.tif 000063
【図５９】
2005231740.tif 000064
【図６０】
2005231740.tif 000065
【図６１】
2005231740.tif 000066
【図６２】
2005231740.tif 000067
【図６３】
2005231740.tif 000068
【図６４】
2005231740.tif 000069
【図６５】
2005231740.tif 000070
【図６６】
2005231740.tif 000071
【図６７】
2005231740.tif 000072
【図６８】
2005231740.tif 000073
【図６９】
2005231740.tif 000074
【図７０Ａ】
2005231740.tif 000075
【図７０Ｂ】
2005231740.tif 000076
【図７０Ｃ】
2005231740.tif 000077
【図７１】
2005231740.tif 000078
【図７２】
2005231740.tif 000079
【図７３】
2005231740.tif 000080
【図７４】
2005231740.tif 000081
【図７５】
2005231740.tif 000082
【図７６】
2005231740.tif 000083
【図７７】
2005231740.tif 000084
【図７８】
2005231740.tif 000085
【図７９】
2005231740.tif 000086
【図８０】
2005231740.tif 000087
【図８１】
2005231740.tif 000088
【図８２】
2005231740.tif 000089
【図８３】
2005231740.tif 000090
【図８４】
2005231740.tif 000091
【図８５】
2005231740.tif 000092
【図８６】
2005231740.tif 000093
【図８７】
2005231740.tif 000094
【図８８】
2005231740.tif 000095
【図８９Ａ】
2005231740.tif 000096
【図８９Ｂ】
2005231740.tif 000097
【図８９Ｃ】
2005231740.tif 000098
【図８９Ｄ】
2005231740.tif 000099
【図８９Ｅ】
2005231740.tif 000100
【図９０】
2005231740.tif 000101
【図９１】
2005231740.tif 000102
【図９２】
2005231740.tif 000103
【図９３】
2005231740.tif 000104
【図９３Ａ】
2005231740.tif 000105
【図９４】
2005231740.tif 000106
【図９５】
2005231740.tif 000107
【図９６】
2005231740.tif 000108
【図９７】
2005231740.tif 000109
【図９８】
2005231740.tif 000110
【図９９】
2005231740.tif 000111
【図１００】
2005231740.tif 000112
【図１０１】
2005231740.tif 000113
【図１０２】
2005231740.tif 000114
【図１０３】
2005231740.tif 000115
【図１０４】
2005231740.tif 000116
【図１０５】
2005231740.tif 000117
【図１０６】
2005231740.tif 000118
【図１０７】
2005231740.tif 000119
【図１０８】
2005231740.tif 000120
【図１０９】
2005231740.tif 000121
【図１１０】
2005231740.tif 000122
【図１１１】
2005231740.tif 000123
【図１１２】
2005231740.tif 000124
【図１１３】
2005231740.tif 000125
【図１１４】
2005231740.tif 000126
【図１１５】
2005231740.tif 000127
【図１１６】
2005231740.tif 000128
【図１１７】
2005231740.tif 000129
【図１１８】
2005231740.tif 000130
【図１１９】
2005231740.tif 000131
【図１２０】
2005231740.tif 000132
【図１２１】
2005231740.tif 000133
【図１２２】
2005231740.tif 000134
【図１２３】
2005231740.tif 000135
【図１２４】
2005231740.tif 000136
【図１２５Ａ】
2005231740.tif 000137
【図１２５Ｂ】
2005231740.tif 000138
【図１２６】
2005231740.tif 000139
【図１２７】
2005231740.tif 000140
【図１２８】
2005231740.tif 000141
【図１２９】
2005231740.tif 000142
【図１３０】
2005231740.tif 000143
【図１３１】
2005231740.tif 000144
【図１３２】
2005231740.tif 000145
【図１３３】
2005231740.tif 000146
【図１３４】
2005231740.tif 000147
【図１３５】
2005231740.tif 000148
【図１３６】
2005231740.tif 000149
【図１３７】
2005231740.tif 000150
【図１３７Ａ】
2005231740.tif 000151
【図１３８】
2005231740.tif 000152
【図１３８Ａ】
2005231740.tif 000153
【図１３８Ｂ】
2005231740.tif 000154
【図１３９】
2005231740.tif 000155
【図１４０】
2005231740.tif 000156
【図１４１】
2005231740.tif 000157
【図１４２】
2005231740.tif 000158
【図１４３】
2005231740.tif 000159
【図１４４】
2005231740.tif 000160
【図１４５】
2005231740.tif 000161
【図１４６】
2005231740.tif 000162
【図１４７】
2005231740.tif 000163
【図１４８】
2005231740.tif 000164
【図１４９】
2005231740.tif 000165
【図１５０】
2005231740.tif 000166
【図１５１】
2005231740.tif 000167
【図１５２】
2005231740.tif 000168
【図１５３】
2005231740.tif 000169
【図１５４】
2005231740.tif 000170
【図１５５】
2005231740.tif 000171
【図１５６】
2005231740.tif 000172
【図１５７】
2005231740.tif 000173
【図１５８】
2005231740.tif 000174
【図１５９】
2005231740.tif 000175
【図１６０】
2005231740.tif 000176
【図１６１】
2005231740.tif 000177
【図１６２】
2005231740.tif 000178
【図１６３】
2005231740.tif 000179
【図１６４】
2005231740.tif 000180